(57)【要約】  本発明の実施例はアップリンク制御情報を伝送するための方法、端末装置及びネットワーク装置を提供する。該方法は、端末装置がターゲットアップリンク制御情報を伝送するための複数のアップリンク制御チャネル要素を確定することであって、複数のアップリンク制御チャネル要素が時間領域において同一のターゲット時間ユニットに位置し、そして複数のアップリンク制御チャネル要素のそれぞれがアップリンク制御情報を個別に伝送することができることと、端末装置がターゲット時間ユニット内で、複数のアップリンク制御チャネル要素を介してネットワーク装置へターゲットアップリンク制御情報を送信することとを含む。本発明の実施例はアップリンク制御情報伝送の柔軟性を向上させることができる。
2020502855.tif 000002
【特許請求の範囲】
【請求項１】
アップリンク制御情報を伝送するための方法であって、
端末装置がターゲットアップリンク制御情報を伝送するための複数のアップリンク制御チャネル要素を確定することであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができることと、
前記端末装置が前記ターゲット時間ユニットで、前記複数のアップリンク制御チャネル要素を介してネットワーク装置へ前記ターゲットアップリンク制御情報を送信することとを含むことを特徴とする、前記方法。
【請求項２】
前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数であることを特徴とする
請求項１に記載の方法。
【請求項３】
前記方法はさらに、
前記端末装置がプロトコルに定められたルールに応じて前記アップリンク制御チャネル要素に占有された時間領域リソース及び／又は周波数領域リソースの長さを確定することを含むことを特徴とする
請求項１に記載の方法。
【請求項４】
前記方法はさらに、
前記端末装置が前記ネットワーク装置から送信されたシグナリングに応じて前記アップリンク制御チャネル要素に占有された時間領域リソース及び／又は周波数領域リソースの長さを確定することを含むことを特徴とする
請求項１に記載の方法。
【請求項５】
一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ／ＮＡＣＫ情報の最大ビット数に等しいこと、及び
Ｎの値が前記ネットワーク装置によって設定されることであることを特徴とする
請求項１−４のいずれか一項に記載の方法。
【請求項６】
前記端末装置がターゲットアップリンク制御情報を伝送するための複数のアップリンク制御チャネル要素を確定することは、
前記端末装置が複数のダウンリンクデータを受信することであって、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含むことと、
前記端末装置が前記複数のダウリンクデータのそれぞれに対応するアップリンク制御チャネル要素を確定し、前記複数のアップリンク制御チャネル要素を得ることとを含むことを特徴とする
請求項１−５のいずれか一項に記載の方法。
【請求項７】
前記複数のダウンリンクデータのそれぞれが前記複数のアップリンク制御チャネル要素のうちの少なくとも一つに対応し、
ここで、前記複数のアップリンク制御チャネル要素のそれぞれが前記各アップリンク制御チャネル要素に対応するダウンリンクデータのＡＣＫ／ＮＡＣＫ情報を伝送することに用いられることを特徴とする
請求項６に記載の方法。
【請求項８】
前記方法はさらに、
前記端末装置は前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することを含むことを特徴とする
請求項１−５のいずれか一項に記載の方法。
【請求項９】
前記端末装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することは、
前記端末装置が
2020502855.tif 000012
に基づき、前記ターゲットアップリンク制御情報の伝送に必要なアップリンク制御チャネル要素の数を確定することであって、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを含むことを特徴とする
請求項８に記載の方法。
【請求項１０】
前記方法はさらに、
前記端末装置が前記ネットワーク装置から送信された指示情報を受信することであって、前記指示情報が前記複数のアップリンク制御チャネル要素に占有されたリソースを確定するための情報を含むことと、
前記端末装置が前記指示情報に基づき、前記複数のアップリンク制御チャネル要素に占有されたリソースを確定することとを含むことを特徴とする
請求項１−９のいずれか一項に記載の方法。
【請求項１１】
前記指示情報はダウンリンク制御情報（ＤＣＩ）であることを特徴とする
請求項１０に記載の方法。
【請求項１２】
前記方法はさらに、
前記端末装置が前記複数のアップリンク制御チャネル要素のうちの第一のアップリンク制御チャネルに占有されたリソースを確定することと、
前記端末装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することとを含むことを特徴とする
請求項１−９のいずれか一項に記載の方法。
【請求項１３】
前記端末装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することは、
前記端末装置が前記第一のアップリンク制御チャネル要素に占有されたリソースの番号に基づき、前記他のアップリンク制御チャネル要素に占有されたリソースの番号を確定することと、
前記端末装置が前記他のアップリンク制御チャネル要素に占有されたリソースの番号に基づき、前記他のアップリンク制御チャネル要素に占有されたリソースを確定することとを含むことを特徴とする
請求項１２に記載の方法。
【請求項１４】
前記端末装置が前記他のアップリンク制御チャネル要素に占有されたリソースの番号に基づき、前記他のアップリンク制御チャネル要素に占有されたリソースを確定することは、
前記端末装置が前記第一のアップリンク制御チャネル要素に占有されたリソースの番号と予め定義された関数に基づき、前記他のアップリンク制御チャネル要素に占有されたリソースの番号を確定すること、又は、
前記端末装置が前記第一のアップリンク制御チャネル要素に占有されたリソースの番号と予め設定されたオフセット量に基づき、前記他のアップリンク制御チャネル要素に占有されたリソースの番号を確定すること、又は、
前記端末装置が前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記端末装置が前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記端末装置が前記第一のアップリンク制御チャネル要素に占有されたリソースの番号と他のダウンリンクデータの番号に基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記端末装置が前記第一のアップリンク制御チャネル要素に占有されたリソースの番号と他のダウンリンクデータに含まれる伝送ブロック（ＴＢ）又は符号化ブロックの番号に基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを含むことを特徴とする
請求項１３に記載の方法。
【請求項１５】
前記他のアップリンク制御チャネル要素に占有されたリソースと前記第一のアップリンク制御チャネル要素に占有されたリソースは少なくとも一部で同じであることを特徴とする
請求項１２に記載の方法。
【請求項１６】
前記端末装置が前記複数のアップリンク制御チャネル要素のうちの第一のアップリンク制御チャネル要素に占有されたリソースを確定することは、
前記端末装置が前記ネットワーク装置から送信されたシグナリングに応じて前記第一のアップリンク制御チャネル要素に占有されたリソースを確定すること、又は、
前記端末装置が前記端末装置の無線ネットワーク一時識別子（ＲＮＴＩ）又は前記端末装置のＩＤに基づいて前記第一のアップリンク制御チャネル要素に占有されたリソースを確定すること、又は、
前記端末装置が前記第一のアップリンク制御チャネルに対応するダウンリンク制御チャネルに占有された物理リソースの番号に基づいて前記第一のアップリンク制御チャネル要素に占有されたリソースを確定することを含むことを特徴とする
請求項１１−１４のいずれか一項に記載の方法。
【請求項１７】
一つのアップリンク制御チャネル要素に占有されたリソースは、時間領域リソース、周波数領域リソース及びコード領域リソースのうちの少なくとも一つを含むことを特徴とする
請求項１０−１６のいずれか一項に記載の方法。
【請求項１８】
前記複数のアップリンク制御チャネル要素は前記ターゲットアップリンク制御情報を繰り返して伝送することを特徴とする
請求項１−１７のいずれか一項に記載の方法。
【請求項１９】
前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送することを特徴とする
請求項１−１７のいずれか一項に記載の方法。
【請求項２０】
前記一つの時間ユニットは一つのタイムスロットであることを特徴とする
請求項１−１９のいずれか一項に記載の方法。
【請求項２１】
アップリンク制御情報を伝送するための方法であって、
ネットワーク装置がターゲットアップリンク制御情報を伝送するための複数のアップリンク制御チャネル要素を確定することであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができることと、
前記ネットワーク装置が前記ターゲット時間ユニットで、前記複数のアップリンク制御チャネル要素を介して端末装置から送信された前記ターゲットアップリンク制御情報を受信することとを含むことを特徴とする、前記方法。
【請求項２２】
前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数であることを特徴とする
請求項２１に記載の方法。
【請求項２３】
前記方法はさらに、
前記ネットワーク装置がプロトコルに定められたルールに応じて前記アップリンク制御チャネル要素に占有された時間領域リソース及び／又は周波数領域リソースの長さを確定することを含むことを特徴とする
請求項２１に記載の方法。
【請求項２４】
前記方法はさらに、
前記ネットワーク装置が前記アップリンク制御チャネル要素に占有された時間領域リソース及び／又は周波数領域リソースの長さを設定することを含むことを特徴とする
請求項２１に記載の方法。
【請求項２５】
一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ  ／  ＮＡＣＫ情報の最大ビット数に等しいこと、及び
Ｎの値が前記ネットワーク装置によって設定されることであることを特徴とする
請求項２１−２４のいずれか一項に記載の方法。
【請求項２６】
前記ネットワーク装置がターゲットアップリンク制御情報を伝送するための複数のアップリンク制御チャネル要素を確定することは、
前記ネットワーク装置が前記端末装置へ複数のダウンリンクデータを送信することであって、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含むことと、
前記ネットワーク装置が前記複数のダウリンクデータのそれぞれに対応するアップリンク制御チャネル要素を確定することであって、前記複数のアップリンク制御チャネル要素を得ることとを含むことを特徴とする
請求項２１−２５のいずれか一項に記載の方法。
【請求項２７】
前記複数のダウンリンクデータのそれぞれが前記複数のアップリンク制御チャネル要素のうちの少なくとも一つに対応し、
ここで、前記複数のアップリンク制御チャネル要素のそれぞれが前記各アップリンク制御チャネル要素に対応するダウンリンクデータのＡＣＫ／ＮＡＣＫ情報を伝送することに用いられることを特徴とする
請求項２６に記載の方法。
【請求項２８】
前記方法はさらに、
前記ネットワーク装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することを含むことを特徴とする
請求項２１−２５のいずれか一項に記載の方法。
【請求項２９】
前記ネットワーク装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することは、
前記ネットワーク装置が
2020502855.tif 000013
に基づき、前記ターゲットアップリンク制御情報の伝送に必要なアップリンク制御チャネル要素の数を確定することであって、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを含むことを特徴とする
請求項２８に記載の方法。
【請求項３０】
前記方法はさらに、
前記ネットワーク装置が指示情報を生成することであって、前記指示情報が前記複数のアップリンク制御チャネル要素に占有されたリソースを確定するための情報を含むことと、
前記ネットワーク装置が前記端末装置へ前記指示情報を送信することとを含むことを特徴とする
請求項２１−２９のいずれか一項に記載の方法。
【請求項３１】
前記指示情報はダウンリンク制御情報（ＤＣＩ）であることを特徴とする
請求項３０に記載の方法。
【請求項３２】
前記方法はさらに、
前記ネットワーク装置が前記複数のアップリンク制御チャネル要素のうちの第一のアップリンク制御チャネルに占有されたリソースを確定することと、
前記ネットワーク装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することとを含むことを特徴とする
請求項２１−２９のいずれか一項に記載の方法。
【請求項３３】
前記ネットワーク装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することは、
前記ネットワーク装置が前記第一のアップリンク制御チャネル要素に占有されたリソースの番号に基づき、前記他のアップリンク制御チャネル要素に占有されたリソースの番号を確定することと、
前記ネットワーク装置が前記他のアップリンク制御チャネル要素に占有されたリソースの番号に基づき、前記他のアップリンク制御チャネル要素に占有されたリソースを確定することとを含むことを特徴とする
請求項３２に記載の方法。
【請求項３４】
前記ネットワーク装置が前記他のアップリンク制御チャネル要素に占有されたリソースの番号に基づき、前記他のアップリンク制御チャネル要素に占有されたリソースを確定することは、
前記ネットワーク装置が前記第一のアップリンク制御チャネル要素に占有されたリソースの番号と予め定義された関数に基づき、前記他のアップリンク制御チャネル要素に占有されたリソースの番号を確定すること、又は、
前記ネットワーク装置が前記第一のアップリンク制御チャネル要素に占有されたリソースの番号と予め設定されたオフセット量に基づき、前記他のアップリンク制御チャネル要素に占有されたリソースの番号を確定すること、又は、
前記ネットワーク装置が前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記ネットワーク装置が前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記ネットワーク装置が前記第一のアップリンク制御チャネル要素に占有されたリソースの番号と他のダウンリンクデータの番号に基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記ネットワーク装置が前記第一のアップリンク制御チャネル要素に占有されたリソースの番号と他のダウンリンクデータに含まれる伝送ブロック（ＴＢ）又は符号化ブロックの番号に基づいて前記他のアップリンク制御チャネル要素に占有されたリソースの番号を確定することであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを含むことを特徴とする
請求項３３に記載の方法。
【請求項３５】
前記他のアップリンク制御チャネル要素に占有されたリソースと前記第一のアップリンク制御チャネル要素に占有されたリソースは少なくとも一部で同じであることを特徴とする
請求項３２に記載の方法。
【請求項３６】
前記ネットワーク装置が前記複数のアップリンク制御チャネル要素のうちの第一のアップリンク制御チャネル要素に占有されたリソースを確定することは、
前記ネットワーク装置が前記第一のアップリンク制御チャネル要素に占有されたリソースを構成すること、又は、
前記ネットワーク装置が前記端末装置の無線ネットワーク一時識別子（ＲＮＴＩ）又は前記端末装置のＩＤに基づいて前記第一のアップリンク制御チャネル要素に占有されたリソースを確定すること、又は、
前記ネットワーク装置が前記第一のアップリンク制御チャネルに対応するダウンリンク制御チャネルに占有された物理リソースの番号に基づいて前記第一のアップリンク制御チャネル要素に占有されたリソースを確定することを含むことを特徴とする
請求項３１−３４のいずれか一項に記載の方法。
【請求項３７】
一つのアップリンク制御チャネル要素に占有されたリソースは、時間領域リソース、周波数領域リソース及びコード領域リソースのうちの少なくとも一つを含むことを特徴とする
請求項３０−３６のいずれか一項に記載の方法。
【請求項３８】
前記複数のアップリンク制御チャネル要素は前記ターゲットアップリンク制御情報を繰り返して伝送することを特徴とする請求項２１−３７のいずれか一項に記載の方法。
【請求項３９】
前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送することを特徴とする
請求項２１−３７のいずれか一項に記載の方法。
【請求項４０】
前記一つの時間ユニットは一つのタイムスロットであることを特徴とする
請求項２１−３９のいずれか一項に記載の方法。
【請求項４１】
端末装置であって、
ターゲットアップリンク制御情報を伝送するための複数のアップリンク制御チャネル要素を確定するように構成される第一の確定モジュールであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができる第一の確定モジュールと、
前記ターゲット時間ユニットで、前記複数のアップリンク制御チャネル要素を介してネットワーク装置へ前記ターゲットアップリンク制御情報を送信するように構成される送信モジュールとを備えることを特徴とする、前記端末装置。
【請求項４２】
前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数であることを特徴とする
請求項４１に記載の端末装置。
【請求項４３】
前記端末装置はさらに、
プロトコルに定められたルールに応じて前記アップリンク制御チャネル要素に占有された時間領域リソース及び／又は周波数領域リソースの長さを確定するように構成される第二の確定モジュールを備えることを特徴とする
請求項４１に記載の端末装置。
【請求項４４】
前記端末装置はさらに、
前記アップリンク制御チャネル要素に占有された時間領域リソース及び／又は周波数領域リソースの長さを設定するように構成される第三の確定モジュールを備えることを特徴とする
請求項４１に記載の端末装置。
【請求項４５】
一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ／ＮＡＣＫ情報の最大ビット数に等しいこと、及び
Ｎの値が前記ネットワーク装置によって設定されることであることを特徴とする
請求項４１−４４のいずれか一項に記載の端末装置。
【請求項４６】
前記第一の確定モジュールは具体的に複数のダウンリンクデータを受信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成されることを特徴とする
請求項４１−４５のいずれか一項に記載の端末装置。
【請求項４７】
前記複数のダウンリンクデータのそれぞれが前記複数のアップリンク制御チャネル要素のうちの少なくとも一つに対応し、
ここで、前記複数のアップリンク制御チャネル要素のそれぞれが前記各アップリンク制御チャネル要素に対応するダウンリンクデータのＡＣＫ／ＮＡＣＫ情報を伝送することに用いられることを特徴とする
請求項４６に記載の端末装置。
【請求項４８】
前記端末装置はさらに、
前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定するように構成される第四の確定モジュールを備えることを特徴とする
請求項４１−４５のいずれか一項に記載の端末装置。
【請求項４９】
前記第四の確定モジュールは具体的に
2020502855.tif 000014
に基づき、前記ターゲットアップリンク制御情報の伝送に必要なアップリンク制御チャネル要素の数を確定するように構成され、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを特徴とする
請求項４８に記載の端末装置。
【請求項５０】
前記端末装置はさらに、
前記ネットワーク装置から送信された指示情報を受信するように構成される第一の受信モジュールであって、前記指示情報が前記複数のアップリンク制御チャネル要素に占有されたリソースを確定するための情報を含む第一の受信モジュールと、
前記指示情報に基づき、前記複数のアップリンク制御チャネル要素に占有されたリソースを確定するように構成される第五の確定モジュールとを備えることを特徴とする
請求項４１−４９のいずれか一項に記載の端末装置。
【請求項５１】
前記指示情報はダウンリンク制御情報（ＤＣＩ）であることを特徴とする
請求項５０に記載の端末装置。
【請求項５２】
前記端末装置はさらに、
前記複数のアップリンク制御チャネル要素のうちの第一のアップリンク制御チャネルに占有されたリソースを確定するように構成される第六の確定ユニットと、
前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される第七の確定モジュールとを備えることを特徴とする
請求項４１−４９のいずれか一項に記載の端末装置。
【請求項５３】
前記第七の確定モジュールは具体的に前記第一のアップリンク制御チャネル要素に占有されたリソースの番号に基づき、前記他のアップリンク制御チャネル要素に占有されたリソースの番号を確定し、前記他のアップリンク制御チャネル要素に占有されたリソースの番号に基づき、前記他のアップリンク制御チャネル要素に占有されたリソースを確定するように構成されることを特徴とする
請求項５２に記載の端末装置。
【請求項５４】
前記第七の確定モジュールは具体的に前記第一のアップリンク制御チャネル要素に占有されたリソースの番号と予め定義された関数に基づき、前記他のアップリンク制御チャネル要素に占有されたリソースの番号を確定するように構成され、又は、
前記第一のアップリンク制御チャネル要素に占有されたリソースの番号と予め設定されたオフセット量に基づき、前記他のアップリンク制御チャネル要素に占有されたリソースの番号を確定するように構成され、又は、
前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、
前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、
前記第一のアップリンク制御チャネル要素に占有されたリソースの番号と他のダウンリンクデータの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、
前記第一のアップリンク制御チャネル要素に占有されたリソースの番号と他のダウンリンクデータに含まれる伝送ブロック（ＴＢ）又は符号化ブロックの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを特徴とする
請求項５３に記載の端末装置。
【請求項５５】
前記他のアップリンク制御チャネル要素に占有されたリソースと前記第一のアップリンク制御チャネル要素に占有されたリソースは少なくとも一部で同じであることを特徴とする
請求項５２に記載の端末装置。
【請求項５６】
前記第六の確定モジュールは具体的に前記ネットワーク装置から送信されたシグナリングに応じて前記第一のアップリンク制御チャネル要素に占有されたリソースを確定するように構成され、又は、
前記端末装置の無線ネットワーク一時識別子（ＲＮＴＩ）又は前記端末装置のＩＤに基づいて前記第一のアップリンク制御チャネル要素に占有されたリソースを確定するように構成され、又は、
前記第一のアップリンク制御チャネルに対応するダウンリンク制御チャネルに占有された物理リソースの番号に基づいて前記第一のアップリンク制御チャネル要素に占有されたリソースを確定するように構成されることを特徴とする
請求項５１−５４のいずれか一項に記載の端末装置。
【請求項５７】
一つのアップリンク制御チャネル要素に占有されたリソースは、時間領域リソース、周波数領域リソース及びコード領域リソースのうちの少なくとも一つを含むことを特徴とする
請求項５０−５６のいずれか一項に記載の端末装置。
【請求項５８】
前記複数のアップリンク制御チャネル要素は前記ターゲットアップリンク制御情報を繰り返して伝送することを特徴とする
請求項４１−５７のいずれか一項に記載の端末装置。
【請求項５９】
前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送することを特徴とする
請求項４１−５７のいずれか一項に記載の端末装置。
【請求項６０】
前記一つの時間ユニットは一つのタイムスロットであることを特徴とする
請求項４１−５９のいずれか一項に記載の端末装置。
【請求項６１】
ネットワーク装置であって、
ターゲットアップリンク制御情報を伝送するための複数のアップリンク制御チャネル要素を確定するように構成される第一の確定モジュールであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができる第一の確定モジュールと、
前記ターゲット時間ユニットで、前記複数のアップリンク制御チャネル要素を介して端末装置から送信された前記ターゲットアップリンク制御情報を受信するように構成される受信モジュールとを備えることを特徴とする、前記ネットワーク装置。
【請求項６２】
前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数であることを特徴とする
請求項６１に記載のネットワーク装置。
【請求項６３】
前記ネットワーク装置はさらに、
プロトコルに定められたルールに応じて前記アップリンク制御チャネル要素に占有された時間領域リソース及び／又は周波数領域リソースの長さを確定するように構成される第二の確定モジュールを備えることを特徴とする
請求項６１に記載のネットワーク装置。
【請求項６４】
前記ネットワーク装置はさらに、
前記アップリンク制御チャネル要素に占有された時間領域リソース及び／又は周波数領域リソースの長さを設定するように構成される第三の確定モジュールを備えることを特徴とする
請求項６１に記載のネットワーク装置。
【請求項６５】
一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ／ＮＡＣＫ情報の最大ビット数に等しいこと、及び
Ｎの値が前記ネットワーク装置によって設定されることであることを特徴とする
請求項６１−６４のいずれか一項に記載のネットワーク装置。
【請求項６６】
前記第一の確定モジュールは具体的に前記端末装置へ複数のダウンリンクデータを送信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成されることを特徴とする
請求項６１−６５のいずれか一項に記載のネットワーク装置。
【請求項６７】
前記複数のダウンリンクデータのそれぞれが前記複数のアップリンク制御チャネル要素のうちの少なくとも一つに対応し、
ここで、前記複数のアップリンク制御チャネル要素のそれぞれが前記各アップリンク制御チャネル要素に対応するダウンリンクデータのＡＣＫ／ＮＡＣＫ情報を伝送することに用いられることを特徴とする
請求項６６に記載のネットワーク装置。
【請求項６８】
前記ネットワーク装置はさらに、
前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定するように構成される第四の確定モジュールを備えることを特徴とする
請求項６１−６５のいずれか一項に記載のネットワーク装置。
【請求項６９】
前記第四の確定モジュールは具体的に
2020502855.tif 000015
に基づき、前記ターゲットアップリンク制御情報の伝送に必要なアップリンク制御チャネル要素の数を確定するように構成され、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを特徴とする
請求項６８に記載のネットワーク装置。
【請求項７０】
前記ネットワーク装置はさらに、
指示情報を生成するように構成される生成モジュールであって、前記指示情報が前記複数のアップリンク制御チャネル要素に占有されたリソースを確定するための情報を含む生成モジュールと、
前記端末装置へ前記指示情報を送信するように構成される送信モジュールとを備えることを特徴とする
請求項６１−６９のいずれか一項に記載のネットワーク装置。
【請求項７１】
前記指示情報はダウンリンク制御情報（ＤＣＩ）であることを特徴とする
請求項７０に記載のネットワーク装置。
【請求項７２】
前記ネットワーク装置はさらに、
前記複数のアップリンク制御チャネル要素のうちの第一のアップリンク制御チャネルに占有されたリソースを確定するように構成される第五の確定ユニットと、
前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される第六の確定モジュールとを備えることを特徴とする
請求項６１−６９のいずれか一項に記載のネットワーク装置。
【請求項７３】
前記第六の確定モジュールは具体的に前記第一のアップリンク制御チャネル要素に占有されたリソースの番号に基づき、前記他のアップリンク制御チャネル要素に占有されたリソースの番号を確定し、前記他のアップリンク制御チャネル要素に占有されたリソースの番号に基づき、前記他のアップリンク制御チャネル要素に占有されたリソースを確定するように構成されることを特徴とする
請求項７２に記載のネットワーク装置。
【請求項７４】
前記第六の確定モジュールは具体的に前記第一のアップリンク制御チャネル要素に占有されたリソースの番号と予め定義された関数に基づき、前記他のアップリンク制御チャネル要素に占有されたリソースの番号を確定するように構成され、又は、
前記第一のアップリンク制御チャネル要素に占有されたリソースの番号と予め設定されたオフセット量に基づき、前記他のアップリンク制御チャネル要素に占有されたリソースの番号を確定するように構成され、又は、
前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、
前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、
前記第一のアップリンク制御チャネル要素に占有されたリソースの番号と他のダウンリンクデータの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、
前記第一のアップリンク制御チャネル要素に占有されたリソースの番号と他のダウンリンクデータに含まれる伝送ブロック（ＴＢ）又は符号化ブロックの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを特徴とする
請求項７３に記載のネットワーク装置。
【請求項７５】
前記他のアップリンク制御チャネル要素に占有されたリソースと前記第一のアップリンク制御チャネル要素に占有されたリソースは少なくとも一部で同じであることを特徴とする
請求項７２に記載のネットワーク装置。
【請求項７６】
前記第六の確定モジュールは具体的に前記第一のアップリンク制御チャネル要素に占有されたリソースを確定するように構成され、又は、
前記端末装置の無線ネットワーク一時識別子（ＲＮＴＩ）又は前記端末装置のＩＤに基づいて前記第一のアップリンク制御チャネル要素に占有されたリソースを確定するように構成され、又は、
前記第一のアップリンク制御チャネルに対応するダウンリンク制御チャネルに占有された物理リソースの番号に基づいて前記第一のアップリンク制御チャネル要素に占有されたリソースを確定するように構成されることを特徴とする
請求項７１−７４のいずれか一項に記載のネットワーク装置。
【請求項７７】
一つのアップリンク制御チャネル要素に占有されたリソースは、時間領域リソース、周波数領域リソース及びコード領域リソースのうちの少なくとも一つを含むことを特徴とする
請求項７０−７６のいずれか一項に記載のネットワーク装置。
【請求項７８】
前記複数のアップリンク制御チャネル要素は前記ターゲットアップリンク制御情報を繰り返して伝送することを特徴とする
請求項６１−７７のいずれか一項に記載のネットワーク装置。
【請求項７９】
前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送することを特徴とする
請求項６１−７７のいずれか一項に記載のネットワーク装置。
【請求項８０】
前記一つの時間ユニットは一つのタイムスロットであることを特徴とする
請求項６１−７９のいずれか一項に記載のネットワーク装置。
【発明の詳細な説明】
【技術分野】
【０００１】
本発明の実施例は通信分野に関し、且つより具体的には、アップリンク制御情報を伝送するための方法、端末装置及びネットワーク装置に関する。
【背景技術】
【０００２】
将来の通信システム、例えば５Ｇシステム（又は５Ｇ  ＮＲ（ｎｅｗ  ｒａｄｉｏ）システムと呼ばれる）は、ダウンリンクハイブリッド自動再送（ＨＡＲＱ：Ｈｙｂｒｉｄ  Ａｕｔｏｍａｔｉｃ  Ｒｅｐｅａｔ  ｒｅＱｅｓｔ）時間シーケンス、柔軟なサブフレーム構造、搬送波集約、大規模アンテナなどを動的に確定するための技術をサポートするが、これらの技術の導入により、端末装置が異なる時間ユニット（異なるタイムスロット）で伝送するアップリンク制御情報のビット数の差が大きい。
【０００３】
従来のプロトコルにおいて複数のアップリンク制御チャネルフォーマット（ｆｏｒｍａｔ）が定義され、そして異なるアップリンク制御チャネルフォーマットが異なる容量のアップリンク制御情報の伝送をサポートするために異なるアップリンク制御情報容量を有する。実際に使用する時に、端末装置は予め定義された複数のアップリンク制御チャネルフォーマットから伝送待ちアップリンク制御情報容量とマッチングするアップリンク制御チャネルフォーマットを選択し、そして該アップリンク制御チャネルフォーマットに基づいてアップリンク制御情報の伝送を行う。
【０００４】
従来のプロトコルにおけるこのようなアップリンク制御情報伝送方式は十分な柔軟性を有せず、アップリンク制御情報のビット数の差が大きい通信システムに適しない。
【発明の概要】
【発明が解決しようとする課題】
【０００５】
本発明の実施例は、アップリンク制御情報伝送の柔軟性を向上させるために、アップリンク制御情報を伝送するための方法、端末装置及びネットワーク装置を提供する。
【課題を解決するための手段】
【０００６】
第一の態様によるアップリンク制御情報を伝送するための方法は、端末装置がターゲットアップリンク制御情報を伝送するための複数のアップリンク制御チャネル要素を確定することであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができることと、前記端末装置が前記ターゲット時間ユニットで、前記複数のアップリンク制御チャネル要素を介してネットワーク装置へ前記ターゲットアップリンク制御情報を送信することとを含む。
【０００７】
第一の態様と組み合わせ、第一の態様のいくつかの実施形態では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【０００８】
第一の態様と組み合わせ、第一の態様のいくつかの実施形態では、前記方法は、さらに前記端末装置がプロトコルに定められたルールに応じて前記アップリンク制御チャネル要素に占有された時間領域リソース及び／又は周波数領域リソースの長さを確定することを含む。
【０００９】
第一の態様と組み合わせ、第一の態様のいくつかの実施形態では、前記方法はさらに、前記端末装置が前記ネットワーク装置から送信されたシグナリングに応じて前記アップリンク制御チャネル要素に占有された時間領域リソース及び／又は周波数領域リソースの長さを確定することを含む。
【００１０】
第一の態様と組み合わせ、第一の態様のいくつかの実施形態では、一つのアップリンク制御チャネル要素が伝送できるアップリンク制御情報の最大ビット数はＮであり、ここでＮの値の取り方式について以下の少なくとも一つの値の取り方式を用いる：Ｎの値が２であること、Ｎの値が予め設定された一つの時間ユニットで伝送されるダウンリンクデータに対応するＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）情報の最大ビット数に等しいこと、及びＮの値が前記ネットワーク装置によって設定されることである。
【００１１】
第一の態様と組み合わせ、第一の態様のいくつかの実施形態では、前記端末装置がターゲットアップリンク制御情報を伝送するための複数のアップリンク制御チャネル要素を確定することは、前記端末装置が複数のダウンリンクデータを受信することであって、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含むことと、前記端末装置が前記複数のダウンリンクデータのそれぞれに対応するアップリンク制御チャネル要素を確定し、前記複数のアップリンク制御チャネル要素を得ることとを含む。
【００１２】
第一の態様と組み合わせ、第一の態様のいくつかの実施形態では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【００１３】
第一の態様と組み合わせ、第一の態様のいくつかの実施形態では、前記方法はさらに、前記端末装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することを含む。
【００１４】
第一の態様と組み合わせ、第一の態様のいくつかの実施形態では、前記端末装置が、前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することは、前記端末装置が
2020502855.tif 000003
に基づき、前記ターゲットアップリンク制御情報の伝送に必要なアップリンク制御チャネル要素の数をすることであって、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを含む。
【００１５】
第一の態様と組み合わせ、第一の態様のいくつかの実施形態では、前記方法はさらに、前記端末装置が前記ネットワーク装置から送信された指示情報を受信することであって、前記指示情報が前記複数のアップリンク制御チャネル要素に占有されたリソースを確定するための情報を含むことと、前記端末装置が前記指示情報に基づき、前記複数のアップリンク制御チャネル要素に占有されたリソースを確定することとを含む。
【００１６】
第一の態様と組み合わせ、第一の態様のいくつかの実施形態では、前記指示情報はダウンリンク制御情報（ＤＣＩ）である。
【００１７】
第一の態様と組み合わせ、第一の態様のいくつかの実施形態では、前記方法はさらに、前記端末装置が前記複数のアップリンク制御チャネル要素のうちの第一のアップリンク制御チャネル要素に占有されたリソースを確定することと、前記端末装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することとを含む。
【００１８】
第一の態様と組み合わせ、第一の態様のいくつかの実施形態では、前記端末装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することは、前記端末装置が前記第一のアップリンク制御チャネル要素に占有されたリソースの番号に基づき、前記他のアップリンク制御チャネル要素に占有されたリソースの番号を確定することと、前記端末装置が前記他のアップリンク制御チャネル要素に占有されたリソースの番号に基づき、前記他のアップリンク制御チャネル要素に占有されたリソースを確定することとを含む。
【００１９】
第一の態様と組み合わせ、第一の態様のいくつかの実施形態では、前記端末装置が前記他のアップリンク制御チャネル要素に占有されたリソースの番号に基づき、前記他のアップリンク制御チャネル要素に占有されたリソースを確定することは、前記端末装置が前記第一のアップリンク制御チャネル要素に占有されたリソースの番号と予め定義された関数に基づいて前記他のアップリンク制御チャネル要素に占有されたリソースの番号を確定すること、又は、前記端末装置が前記第一のアップリンク制御チャネル要素に占有されたリソースの番号と予め設定されたオフセット量に基づいて前記他のアップリンク制御チャネル要素に占有されたリソースの番号を確定すること、又は、前記端末装置が前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報を伝送することに用いられ、前記他のダウンリンクデータが前記複数のダウンリンクデータのうちの前記第一のアップリンク制御チャネル要素に対応するダウンリンクデータ以外のダウンリンクデータであること、又は、前記端末装置が前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されえたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることと、又は、前記端末装置が前記第一のアップリンク制御チャネル要素に占有されたリソースの番号と他のダウンリンクデータの番号に基づいて前記他のアップリンク制御チャネル要素に占有されたリソースの番号をすることであって、ここで前記複数のアップリンク制御チャネル要素がそれぞれ複数のダウン
リンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、前記端末装置が前記第一のアップリンク制御チャネル要素に占有されたリソースの番号と他のダウンリンクデータに含まれる伝送ブロック（ＴＢ）又は符号化ブロックの番号に基づいて他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを含む。
【００２０】
第一の態様と組み合わせ、第一の態様のいくつかの実施形態では、前記他のアップリンク制御チャネル要素に占有されたリソースと前記第一のアップリンク制御チャネル要素に占有されたリソースは少なくとも一部で同じである。
【００２１】
第一の態様と組み合わせ、第一の態様のいくつかの実施形態では、前記端末装置が前記複数のアップリンク制御チャネル要素のうちの第一のアップリンク制御チャネル要素に占有されたリソースを確定することは、前記端末装置が前記ネットワーク装置から送信されたシグナリングに応じて前記第一のアップリンク制御チャネル要素に占有されたリソースを確定すること、又は、前記端末装置が前記端末装置の無線ネットワーク一時識別子（ＲＮＴＩ）又は前記端末装置のＩＤに基づいて前記第一のアップリンク制御チャネル要素に占有されたリソースを確定すること、又は、前記端末装置が前記第一のアップリンク制御チャネルに対応するダウンリンク制御チャネルに占有された物理リソースの番号に基づいて前記第一のアップリンク制御チャネル要素に占有されたリソースを確定することを含む。
【００２２】
第一の態様と組み合わせ、第一の態様のいくつかの実施形態では、一つのアップリンク制御チャネル要素に占有されたリソースは、時間領域リソース、周波数領域リソース及びコード領域リソースのうちの少なくとも一つを含む。
【００２３】
第一の態様と組み合わせ、第一の態様のいくつかの実施形態では、前記複数のアップリンク制御チャネル要素は前記ターゲットアップリンク制御情報を繰り返して伝送する。
【００２４】
第一の態様と組み合わせ、第一の態様のいくつかの実施形態では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【００２５】
第一の態様と組み合わせ、第一の態様のいくつかの実施形態では、前記一つの時間ユニットは一つのタイムスロットである。
【００２６】
第二の態様によるアップリンク制御情報を伝送するための方法は、ネットワーク装置がターゲットアップリンク制御情報を伝送するための複数のアップリンク制御チャネル要素を確定することであって、前記複数のアップリンク制御チャネル要素が時間領域において同一のターゲット時間ユニットに位置し、且つ前記複数のアップリンク制御チャネル要素のそれぞれがアップリンク制御情報を個別に伝送することができることと、前記ネットワーク装置がターゲット時間ユニット内で、前記複数のアップリンク制御チャネル要素を介して端末装置から送信された前記ターゲットアップリンク制御情報を受信することとを含む。
【００２７】
第二の態様と組み合わせ、第二の態様のいくつかの実施形態では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【００２８】
第二の態様と組み合わせ、第二の態様のいくつかの実施形態では、前記方法はさらに前記ネットワーク装置がプロトコルに定められたルールに応じて前記アップリンク制御チャネル要素に占有された時間領域リソース及び／又は周波数領域リソースの長さを確定することを含む。
【００２９】
第二の態様と組み合わせ、第二の態様のいくつかの実施形態では、前記方法は、さらに前記ネットワーク装置が前記アップリンク制御チャネル要素に占有された時間領域リソース及び／又は周波数領域リソースの長さを設定することを含む。
【００３０】
第二の態様と組み合わせ、第二の態様のいくつかの実施形態では、一つのアップリンク制御チャネル要素が伝送できるアップリンク制御情報の最大ビット数がＮであり、ここでＮの値の取り方式について以下の少なくとも一つの値の取り方式を用いる：Ｎの値が２であること、Ｎの値が予め設定された一つの時間ユニットで伝送されるダウンリンクデータに対応するＡＣＫ／ＮＡＣＫ情報の最大ビット数に等しいこと、及びＮの値が前記ネットワーク装置によって設定されることである。
【００３１】
第二の態様と組み合わせ、第二の態様のいくつかの実施形態では、前記ネットワーク装置がターゲットアップリンク制御情報を伝送するための複数のアップリンク制御チャネル要素を確定することは、前記ネットワーク装置が前記端末装置へ複数のダウンリンクデータを送信することであって、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含むことと、前記ネットワーク装置が前記複数のダウンリンクデータのそれぞれに対応するアップリンク制御チャネル要素を確定し、前記複数のアップリンク制御チャネル要素を得ることとを含む。
【００３２】
第二の態様と組み合わせ、第二の態様のいくつかの実施形態では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【００３３】
第二の態様と組み合わせ、第二の態様のいくつかの実施形態では、前記方法はさらに、前記ネットワーク装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することを含む。
【００３４】
第二の態様と組み合わせ、第二の態様のいくつかの実施形態では、前記ネットワーク装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することは、前記ネットワーク装置が
2020502855.tif 000004
に基づき、前記ターゲットアップリンク制御情報の伝送に必要なアップリンク制御チャネル要素の数をすることであって、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを含む。
【００３５】
第二の態様と組み合わせ、第二の態様のいくつかの実施形態では、前記方法はさらに、前記ネットワーク装置が指示情報を生成することであって、前記指示情報が前記複数のアップリンク制御チャネル要素に占有されたリソースを確定するための情報を含むことと、前記ネットワーク装置が前記端末装置へ前記指示情報を送信することとを含む。
【００３６】
第二の態様と組み合わせ、第二の態様のいくつかの実施形態では、前記指示情報はダウンリンク制御情報（ＤＣＩ）である。
【００３７】
第二の態様と組み合わせ、第二の態様のいくつかの実施形態では、前記方法はさらに、前記ネットワーク装置が前記複数のアップリンク制御チャネル要素のうちの第一のアップリンク制御チャネル要素に占有されたリソースを確定することと、前記ネットワーク装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することとを含む。
【００３８】
第二の態様と組み合わせ、第二の態様のいくつかの実施形態では、前記ネットワーク装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することは、前記ネットワーク装置が前記第一のアップリンク制御チャネル要素に占有されたリソースの番号に基づき、前記他のアップリンク制御チャネル要素に占有されたリソースの番号を確定することと、前記ネットワーク装置が前記他のアップリンク制御チャネル要素に占有されたリソースの番号に基づき、前記他のアップリンク制御チャネル要素に占有されたリソースを確定することとを含む。
【００３９】
第二の態様と組み合わせ、第二の態様のいくつかの実施形態では、前記ネットワーク装置が前記他のアップリンク制御チャネル要素に占有されたリソースの番号に基づき、前記他のアップリンク制御チャネル要素に占有されたリソースを確定することは、前記ネットワーク装置が前記第一のアップリンク制御チャネル要素に占有されたリソースの番号と予め定義された関数に基づいて前記他のアップリンク制御チャネル要素に占有されたリソースの番号を確定すること、又は、前記ネットワーク装置が前記第一のアップリンク制御チャネル要素に占有されたリソースの番号と予め設定されたオフセット量に基づいて前記他のアップリンク制御チャネル要素に占有されたリソースの番号を確定すること、又は、前記ネットワーク装置が前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報を伝送することに用いられ、前記他のダウンリンクデータが前記複数のダウンリンクデータのうちの前記第一のアップリンク制御チャネル要素に対応するダウンリンクデータ以外のダウンリンクデータであること、又は、前記ネットワーク装置が前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されえたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることと、又は、前記ネットワーク装置が前記第一のアップリンク制御チャネル要素に占有されたリソースの番号と他のダウンリンクデータの番号に基づいて前記他のアップリンク制御チャネル要素に占有されたリソースの番号をすることであって、ここで前記複数のア
ップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、前記ネットワーク装置が前記第一のアップリンク制御チャネル要素に占有されたリソースの番号と他のダウンリンクデータに含まれる伝送ブロック（ＴＢ）又は符号化ブロックの番号に基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを含む。
【００４０】
第二の態様と組み合わせ、第二の態様のいくつかの実施形態では、前記他のアップリンク制御チャネル要素に占有されたリソースと前記第一のアップリンク制御チャネル要素に占有されたリソースは少なくとも一部で同じである。
【００４１】
第二の態様と組み合わせ、第二の態様のいくつかの実施形態では、前記ネットワーク装置が前記複数のアップリンク制御チャネル要素のうちの第一のアップリンク制御チャネル要素に占有されたリソースを確定することは、前記ネットワーク装置が前記第一のアップリンク制御チャネル要素に占有されたリソースを設定すること、又は、前記ネットワーク装置が前記端末装置の無線ネットワーク一時識別子（ＲＮＴＩ）又は前記端末装置のＩＤに基づいて前記第一のアップリンク制御チャネル要素に占有されたリソースを確定すること、又は、前記ネットワーク装置が前記第一のアップリンク制御チャネルに対応するダウンリンク制御チャネルに占有された物理リソースの番号に基づいて前記第一のアップリンク制御チャネル要素に占有されたリソースを確定することを含む。
【００４２】
第二の態様と組み合わせ、第二の態様のいくつかの実施形態では、一つのアップリンク制御チャネル要素に占有されたリソースは、時間領域リソース、周波数領域リソース及びコード領域リソースのうちの少なくとも一つを含む。
【００４３】
第二の態様と組み合わせ、第二の態様のいくつかの実施形態では、前記複数のアップリンク制御チャネル要素は前記ターゲットアップリンク制御情報を繰り返して伝送する。
【００４４】
第二の態様と組み合わせ、第二の態様のいくつかの実施形態では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【００４５】
第二の態様と組み合わせ、第二の態様のいくつかの実施形態では、前記一つの時間ユニットは一つのタイムスロットである。
【００４６】
第三の態様による端末装置は、第一の態様における方法を実行するためのユニットを備える。
【００４７】
第四の態様によるネットワーク装置は、第二の態様における方法を実行するためのユニットを備える。
【００４８】
第五の態様による端末装置は、プロセッサと送受信機を備え、前記プロセッサが前記送受信機に基づいて第一の態様における方法を実行する。
【００４９】
第六の態様によるネットワーク装置は、プロセッサと送受信機を備え、前記プロセッサが前記送受信機に基づいて第二の態様における方法を実行する。
【００５０】
第七の態様によるコンピュータ可読媒体は、端末装置で実行されるためのプログラムコードを記憶し、前記プログラムコードが第一の態様における方法を実行するための命令を含む。
【００５１】
第八の態様によるコンピュータ可読媒体は、ネットワーク装置で実行されるためのプログラムコードを記憶し、前記プログラムコードが第二の態様における方法を実行するための命令を含む。
【００５２】
本発明の実施例では、端末装置とネットワーク装置はアップリンク制御チャネル要素を単位としてアップリンク制御情報の伝送を行い、ターゲットアップリンク制御情報の伝送過程において、端末装置はターゲットアップリンク制御情報に基づいて使用を必要とするアップリンク制御チャネル要素の数を確定し、さらに確定されたアップリンク制御チャネル要素を用いてターゲットアップリンク制御情報の伝送を行い、言い換えれば、端末装置は実際の状況に応じて、ターゲットアップリンク制御情報の伝送に必要なアップリンクリソースを柔軟に選択することができ、これによりアップリンク制御情報伝送の柔軟性が向上する。
【図面の簡単な説明】
【００５３】
【図１】本発明の実施例によるアップリンク制御情報を伝送するための方法の概略フローチャートである。
【図２ａ】本発明の実施例による一つのタイムスロットでの複数のターゲット時間ユニットの位置分布図である。
【図２ｂ】本発明の実施例によるＰＤＳＣＨとアップリンク制御チャネル要素とのマッピング関係の概略図である。
【図３】本発明の実施例によるアップリンク制御情報を伝送するための方法の概略フローチャートである。
【図４】本発明の実施例によるネットワーク装置の概略構造図である。
【図５】本発明の実施例によるネットワーク装置の概略構造図である。
【図６】本発明の実施例による端末装置の概略構造図である。
【図７】本発明の実施例によるネットワーク装置の概略構造図である。
【発明を実施するための形態】
【００５４】
以下は本発明の実施例における図面を組み合わせながら、本発明の実施例における技術的解決策を明確に、全面的に説明する。
【００５５】
理解すべきものとして、本発明の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、な長期進化型（ＬＴＥ−Ａ：Ａｄｖａｎｃｅｄ  ｌｏｎｇ  ｔｅｒｍ  ｅｖｏｌｕｔｉｏｎ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＮＲ（Ｎｅｗ  Ｒａｄｉｏ  Ａｃｃｅｓｓ  Ｔｅｃｈｎｏｌｏｇｙ）、５Ｇなどに応用されてもよい。
【００５６】
また、理解すべきものとして、本発明の実施例では、端末装置は移動局（ＭＳ：Ｍｏｂｉｌｅ  Ｓｔａｔｉｏｎ）、移動端末（Ｍｏｂｉｌｅ  Ｔｅｒｍｉｎａｌ）、移動電話（Ｍｏｂｉｌｅ  Ｔｅｌｅｐｈｏｎｅ）、ユーザ装置（ＵＥ：Ｕｓｅｒ  Ｅｑｕｉｐｍｅｎｔ）、手機（ｈａｎｄｓｅｔ）及びポータブル機器（ｐｏｒｔａｂｌｅ  ｅｑｕｉｐｍｅｎｔ）などを含むことができるがこれらに限定されず、該端末装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信を行うことができ、例えば、端末装置は移動電話（又は「セルラー」電話）、無線通信機能を備えたコンピュータなどであってもよく、端末装置はさらにポータブル型、ポケット型、ハンドヘルド型、コンピュータ内蔵型又は車載移動端末であってもよい。
【００５７】
本発明の実施例では、ネットワーク装置はアクセスネットワーク装置であってもよく、例えば基地局、送信及び受信ポイント（ＴＲＰ：Ｔｒａｎｓｍｉｔ  ａｎｄ  Ｒｅｃｅｉｖｅ  Ｐｏｉｎｔ）又はアクセスポイントであってもよく、基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよいし、ＬＴＥにおける進化型基地局（ｅＮＢ又はｅ−ＮｏｄｅＢ：ｅｖｏｌｖｅｄ  Ｎｏｄｅ  Ｂ）であってもいし、ＮＲ又は５Ｇの基地局（ｇＮＢ）であってもよく、本発明の実施例はこれに具体的に限定されない。
【００５８】
前述したように、将来の通信システムでは、端末装置が異なる時間ユニットで伝送するアップリンク制御情報のビット数が大きく、したがって、現在のプロトコルにおけるアップリンク制御チャネルフォーマットに対する定義方式は将来の通信システムに適しない。具体的には、多数のアップリンク制御チャネルフォーマットが定義されると、プロトコルが複雑になりすぎ、少数のアップリンク制御チャネルフォーマットだけが定義されると、アップリンク伝送リソースが無駄になる。
【００５９】
本発明の実施例は、アップリンク制御情報の伝送リソースの柔軟な拡張をサポートすることができる、アップリンク制御情報を伝送するための方法を提供し、以下に図１を参照して詳細に説明する。
【００６０】
図１は本発明の実施例によるアップリンク制御情報を伝送するための方法の概略フローチャートである。図１に示す方法は、１１０と１２０を含む。
【００６１】
１１０において、端末装置はターゲットアップリンク制御情報を伝送するための複数のアップリンク制御チャネル要素を確定し、複数のアップリンク制御チャネル要素が時間領域において同一のターゲット時間ユニットに位置し、そして複数のアップリンク制御チャネル要素のそれぞれがアップリンク制御情報を個別に伝送することができる。
【００６２】
具体的には、時間ユニットの定義方式は複数であってもよく、例えば、時間ユニットは一つのタイムスロットである。時間ユニットがタイムスロットであり、複数のアップリンク制御チャネル要素が３つのアップリンクチャネル要素であることを例とすると、ターゲット時間ユニットは図２ａのタイムスロットｎ＋１であってもよく、３つのアップリンクチャネル要素はタイムスロットｎ＋１のアップリンク領域に位置し、そして該３つのアップリンクチャネル要素に、タイムスロットｎ＋１で伝送する必要があるターゲットアップリンク制御情報が含まれる。
【００６３】
本発明の実施例では、ターゲットアップリンク制御情報のタイプが限定されず、例えば、ダウンリンクデータのＡＣＫ／ＮＡＣＫ情報を含むことができ、さらにチャネル状態情報（ＣＳＩ：Ｃｈａｎｎｅｌ  Ｓｔａｔｅ  Ｉｎｆｏｒｍａｔｉｏｎ）などを含むこともできる。
【００６４】
本明細書におけるアップリンク制御チャネル要素は、アップリンク制御情報を含むためのリソースユニット、又はアップリンク制御情報を含むためのリソース粒子を指すことができる。例えば、それはＡＣＫ／ＮＡＣＫ情報を含むためのリソースユニット又はリソース粒子であってもよい。また、いくつかの実施例では、アップリンク制御チャネル要素はさらに物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）ユニット、ＰＵＣＣＨリソースユニット、又はＰＵＣＣＨリソース粒子と呼ばれてもよい。
【００６５】
１２０において、端末装置はターゲット時間ユニットで、複数のアップリンク制御チャネル要素を介してネットワーク装置へターゲットアップリンク制御情報を送信する。
【００６６】
本発明の実施例では、端末装置とネットワーク装置はアップリンク制御チャネル要素を単位としてアップリンク制御情報の伝送を行い、ターゲットアップリンク制御情報の伝送過程において、端末装置はターゲットアップリンク制御情報に基づいて使用を必要とするアップリンク制御チャネル要素の数を確定し、さらに確定されたアップリンク制御チャネル要素を用いてターゲットアップリンク制御情報の伝送を行うことができ、言い換えれば、端末装置は実際の状況に応じて、ターゲットアップリンク制御情報の伝送に必要なアップリンクリソースを柔軟に選択することができ、これによりアップリンク制御情報伝送の柔軟性が向上する。例えば、アップリンク制御チャネル要素は一つの小容量のアップリンク制御チャネルフォーマットに対応することができ、端末装置は実際のニーズに応じて、アップリンク制御チャネル要素を単位としてアップリンク制御情報の伝送リソースを柔軟に拡張することができ、これにより、アップリンク制御情報伝送の柔軟性が向上する。
【００６７】
選択可能に、いくつかの実施例では、ステップ１１０の前に、図１の方法はさらに端末装置がアップリンク制御チャネル要素を確定することを含むことができる。例えば、アップリンク制御チャネル要素に占有された時間領域リソースの長さ、アップリンク制御チャネル要素に占有された周波数領域リソースの長さ、アップリンク制御チャネル要素が伝送できるアップリンク制御情報の最大ビット数などのうちの少なくとも一つを確定する。
【００６８】
選択可能に、いくつかの実施例では、ステップ１１０の前に、図１の方法はさらに端末装置がターゲット時間ユニットで伝送する必要があるターゲットアップリンク制御情報を確定することを含むことができる。具体的には、ターゲットアップリンク制御情報はダウンリンクデータに対応するＡＣＫ／ＮＡＣＫ情報を含むことができ、端末装置は受信されたターゲットダウンリンクデータの数に基づき、ターゲット時間ユニットで伝送する必要があるＡＣＫ／ＮＡＣＫ情報を確定することができ、ここで前記ターゲットダウンリンクデータが、その対応するＡＣＫ／ＮＡＣＫ情報をターゲット時間ユニットで伝送する必要があるダウンリンクデータである。
【００６９】
選択可能に、一つの実施例として、アップリンク制御チャネル要素に占有された時間領域リソースの長さがＡ個の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに占有された時間領域リソースの長さに等しく、アップリンク制御チャネル要素に占有された周波数領域リソースの長さがＢ個のリソースブロック（ＲＢ：Ｒｅｓｏｕｒｃｅ  Ｂｌｏｃｋ）に占有された周波数領域リソースの長さに等しく、ここでＡとＢがいずれも１以上の正整数である。例えば、Ａ＝Ｂ＝１、即ち一つのアップリンク制御ユニットは時間領域において一つのシンボルを占有し、周波数領域において一つのＲＢに対応する周波数領域リソースの長さ、例えば１２つのサブ搬送波を占有する。
【００７０】
本発明の実施例では、アップリンク制御チャネル要素のサイズが固定されるため、端末装置とネットワーク装置はアップリンク制御ユニットのサイズを毎度確定する必要がなく、アップリンク制御情報の伝送プロセスが簡素化される。
【００７１】
選択可能に、一つの実施例として、図１の方法はさらに端末装置がプロトコルに定められたルールに応じてアップリンク制御チャネル要素に占有された時間領域リソース及び／又は周波数領域リソースの長さを確定することを含むことができる。言い換えれば、端末装置はプロトコルに定められたルールに応じてアップリンク制御チャネル要素に占有された時間領域リソースの長さを確定することができ、及び／又は端末装置はプロトコルに定められたルールに応じてアップリンク制御チャネル要素に占有された周波数領域リソースの長さを確定することができる。
【００７２】
具体的には、端末装置はあるプロトコルに従う端末装置であってもよく、端末装置は該プロトコルに定義されたルールに応じてアップリンク制御チャネル要素に占有された時間領域リソース及び／又は周波数領域リソースの長さを確定することができる。
【００７３】
選択可能に、一つの実施例として、図１の方法はさらに端末装置がネットワーク装置から送信されたシグナリングに応じてアップリンク制御チャネル要素に占有された時間領域リソース及び／又は周波数領域リソースの長さを確定することを含むことができる。
【００７４】
選択可能に、一つの実施例として、一つのアップリンク制御チャネル要素が伝送できるアップリンク制御情報の最大ビット数はＮであり、Ｎの値が２である。このような定義方式は、簡単に実現され、アップリンク制御チャネルの伝送プロセスを簡素化することができる。
【００７５】
選択可能に、一つの実施例として、一つのアップリンク制御チャネル要素が伝送できるアップリンク制御情報の最大ビット数はＮであり、Ｎの値が予め設定された一つの時間ユニットで伝送されるダウンリンクデータに対応するＡＣＫ／ＮＡＣＫ情報の最大ビット数に等しい。具体的には、一つの時間ユニットは一つのタイムスロットであってもよい。
【００７６】
選択可能に、一つの実施例として、一つのアップリンク制御チャネル要素が伝送できるアップリンク制御情報の最大ビット数はＮであり、Ｎの値がネットワーク装置によって設定されてもよい。具体的には、端末装置はネットワーク装置から送信されたシグナリング又は指示情報を受信することができ、該指示情報がＮの値を確定することに用いられてもよい。例えば、端末装置はネットワーク装置から送信されたダウンリンク制御情報（ＤＣＩ：Ｄｏｗｎｌｉｎｋ  Ｃｏｎｔｒｏｌ  Ｉｎｆｏｒｍａｔｉｏｎ）を受信し、ＤＣＩがＮの値を示す情報を含む。
【００７７】
選択可能に、一つの実施例として、ステップ１１０は端末装置が複数のダウンリンクデータを受信し、複数のダウンリンクデータのそれぞれが独立したＡＣＫ／ＮＡＣＫ情報に対応し、ターゲットアップリンク制御情報が複数のダウンリンクデータのＡＣＫ／ＮＡＣＫ情報（又は、ターゲットアップリンク制御情報が複数のダウンリンクデータのＡＣＫ／ＮＡＣＫ情報を指す）を含むことができることと、端末装置が複数のダウンリンクデータのそれぞれに対応するアップリンク制御チャネル要素を確定し、複数のアップリンク制御チャネル要素を得ることとを含むことができる。
【００７８】
説明すべきものとして、本明細書におけるダウンリンクデータはダウンリンク共有データを指すことができ、具体的には、いくつかの実施例では、物理ダウンリンク共有データ（ＰＤＳＣＨ：Ｐｈｙｓｉｃａｌ  Ｄｏｗｎｌｉｎｋ  Ｓｈａｒｅｄ  Ｃｈａｎｎｅｌ）を指すことができる。
【００７９】
説明すべきものとして、本発明の実施例では複数のダウンリンクデータとアップリンク制御チャネル要素との対応関係は具体的に限定されない。具体的には、複数のダウンリンクデータのそれぞれが前記複数のアップリンク制御チャネル要素のうちの少なくとも一つに対応することができ、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。具体的には、上記の複数のダウンリンクデータが複数のアップリンク制御チャネル要素と一対一で対応し、又は、複数のダウンリンクデータのうちの少なくとも二つのダウンリンクデータが複数のアップリンク制御チャネル要素のうちの一つに対応し、ここで、複数のアップリンク制御チャネル要素のそれぞれが前記各アップリンク制御チャネル要素に対応するダウンリンクデータのＡＣＫ／ＮＡＣＫ情報を伝送することに用いられる。例えば、複数のダウンリンクデータは一つのアップリンク制御チャネル要素に対応することができる。
【００８０】
選択可能に、一つの実施例として、図１の方法はさらに、端末装置がターゲットアップリンク制御情報のビット数及び一つのアップリンク制御ユニットが伝送できるアップリンク制御情報の最大ビット数に基づき、ターゲットアップリンク制御情報の伝送に必要なアップリンク制御チャネル要素の数を確定することを含むことができる。
【００８１】
例えば、端末装置は
2020502855.tif 000005
に基づき、ターゲットアップリンク制御情報の伝送に必要なアップリンク制御チャネル要素の数を確定することができ、ここで、Ｍがターゲットアップリンク制御情報のビット数を表し、Ｎが一つのアップリンク制御チャネル要素が伝送できるアップリンク制御情報の最大ビット数を表し、Ｋが１以上の正整数を表す。
【００８２】
例えば、端末装置はターゲットアップリンク制御情報の伝送に必要なアップリンク制御チャネル要素の数が（Ｍ／Ｎ）＋１であることを確定することができる。
【００８３】
選択可能に、一つの実施例として、図１の方法はさらに、端末装置がネットワーク装置から送信された指示情報を受信し、該指示情報が複数のアップリンク制御チャネル要素に占有されたリソースを確定するための情報を含む（又は、該指示情報が複数のアップリンク制御チャネル要素に占有されたリソースを示すための情報を含み、説明上、以下に、複数のアップリンク制御チャネル要素に占有されたリソースを確定するための情報がターゲット情報と呼ばれてもよい）ことと、端末装置が指示情報に基づき、複数のアップリンク制御チャネル要素に占有されたリソースを確定することとを含むことができる。
【００８４】
上記指示情報は例えばＤＣＩであってもよい。
【００８５】
説明すべきものとして、本明細書におけるアップリンク制御チャネル要素に占有されたリソースはいずれもアップリンク制御チャネル要素のリソース位置に置き換えられてもよい。さらに、いくつかの実施例では、アップリンク制御チャネル要素のリソース位置はアップリンク制御チャネル要素の時間領域リソース位置、周波数領域リソース位置とコード領域シーケンスインデックスのうちの少なくとも一つを含むことができる。
【００８６】
理解すべきものとして、端末がターゲット情報に基づいて複数のアップリンク制御チャネル要素に占有されたリソースの方式は複数であってもよい。いくつかの実施例では、ターゲット情報は複数のアップリンク制御チャネル要素に占有されたリソースを直接示すことができ、例えば、ターゲット情報は複数のアップリンク制御チャネル要素に占有されたリソースの時間周波数位置を直接示すことができ、端末装置はターゲット情報の指示に応じて複数のアップリンク制御チャネル要素に占有されたリソースを直接確定することができる。別のいくつかの実施例では、ターゲット情報は複数のアップリンク制御チャネル要素に占有されたリソースを確定するための配置パラメータを含むことができ、端末装置は該配置パラメータに基づき、予め定められた方式により複数のアップリンク制御チャネル要素に占有されたリソースを確定することができる。
【００８７】
選択可能に、一つの実施例として、図１の方法はさらに、端末装置が複数のアップリンク制御チャネル要素のうちの第一のアップリンク制御チャネル要素に占有されたリソースを確定することと、端末装置が第一のアップリンク制御チャネル要素に占有されたリソースに基づき、複数のアップリンク制御チャネル要素のうちの第一のアップリンク制御チャネル要素以外のアップリンク制御チャネル要素に占有されたリソースを確定することとを含むことができる。
【００８８】
説明すべきものとして、第一のアップリンク制御チャネル要素は一つのアップリンク制御チャネル要素であってもよいし、２つ以上のアップリンク制御チャネルリソースであってもよい。具体的には、第一のアップリンク制御チャネルは上記複数のアップリンク制御チャネル要素のうちの一部であってもよい。
【００８９】
本発明の実施例では、他のアップリンク制御チャネル要素に占有されたリソースは第一のアップリンク制御チャネル要素に占有されたリソースに基づいて確定され、端末装置とネットワーク装置は第一のアップリンク制御チャネル要素に占有されたリソースに基づき、同じルールにより複数のアップリンク制御チャネル要素に占有されたリソースを確定することができ、ネットワーク装置はアップリンク制御チャネル要素ごとにリソースを構成（ｃｏｎｆｉｇｕｒｅ）する必要がなく、アップリンク制御情報の伝送プロセスが簡素化される。
【００９０】
説明すべきものとして、第一のアップリンク制御チャネル要素に占有されたリソースに基づき、他のアップリンク制御チャネル要素に占有されたリソースを確定する方式は、複数であってもよく、本発明の実施例はこれに具体的に限定されず、以下に具体的な実施例を組み合わせて詳細に説明する。
【００９１】
選択可能に、いくつかの実施例では、上記他のアップリンク制御チャネル要素に占有されたリソースと第一のアップリンク制御チャネル要素に占有されたリソースは少なくとも一部で同じである。具体的には、端末装置は、他のアップリンク制御チャネル要素に第一のアップリンク制御チャネル要素と同じ時間領域リソース、周波数領域リソース及びコード領域リソースのうちの一つ又は二つを割り当てることができる。例えば、端末装置は、他のアップリンク制御チャネル要素に第一のアップリンク制御チャネル要素と同じ時間領域リソースを割り当てることができ、他のアップリンク制御チャネルの周波数領域リソースとコード領域リソースは異なってもよい。例えば、端末装置は、他のアップリンク制御チャネル要素に第一のアップリンク制御チャネル要素と同じ周波数領域リソースを割り当てることができ、他のアップリンク制御チャネルの時間領域リソースとコード領域リソースは異なってもよい。
【００９２】
選択可能に、いくつかの実施形態では、上記端末装置が第一のアップリンク制御チャネル要素に占有されたリソースに基づき、複数のアップリンク制御チャネル要素のうちの第一のアップリンク制御チャネル要素以外のアップリンク制御チャネル要素に占有されたリソースを確定することは、端末装置が第一のアップリンク制御チャネル要素に占有されたリソースの番号に基づき、他のアップリンク制御チャネル要素に占有されたリソースの番号を確定することと、端末装置が他のアップリンク制御チャネル要素に占有されたリソースの番号に基づき、他のアップリンク制御チャネル要素に占有されたリソースを確定することとを含むことができる。
【００９３】
説明すべきものとして、本発明の実施例における番号はインデックス（ｉｎｄｅｘ）と呼ばれてもよい。
【００９４】
また、説明すべきものとして、第一のアップリンク制御チャネル要素に占有されたリソースの番号に基づき、他のアップリンク制御チャネル要素に占有されたリソースの番号を確定する方式は、複数であってもよく、以下に詳細に説明される。
【００９５】
選択可能に、いくつかの実施例では、端末装置は第一のアップリンク制御チャネル要素に占有されたリソースの番号と予め定義された関数に基づき、他のアップリンク制御チャネル要素に占有されたリソースの番号を確定する。例えば、予め定義された関数はｘ＋ｉであり、ここでｘが第一のアップリンク制御チャネル要素に占有されたリソースの番号を表し、ｉが他のアップリンク制御チャネル要素のうちのｉ番目のアップリンク制御チャネル要素を表し、第一のアップリンク制御チャネル要素に占有されたリソースの番号を上記関数に代入すると他のアップリンク制御チャネル要素に占有されたリソースの番号を確定できる。予め定義された関数はさらに他の形態の関数を用いることができ、ここで一つずつ列挙されない。
【００９６】
選択可能に、いくつかの実施例では、端末装置は第一のアップリンク制御チャネル要素に占有されたリソースの番号と予め設定されたオフセット量に基づき、他のアップリンク制御チャネル要素に占有されたリソースの番号を確定することができる。オフセット量は固定値であってもよいし、ネットワーク装置によって半静的に設定され又は動的に示されてもよい。
【００９７】
例えば、第一のアップリンク制御チャネル要素に占有されたリソースの番号がＴであり、予め設定されたオフセット量が５である場合、他のアップリンク制御チャネル要素の番号はＴ＋５＋ｉであってもよく、ここで、ｉが他のアップリンク制御チャネル要素におけるｉ番目のアップリンク制御チャネル要素を表す。例えば、第一のアップリンク制御チャネル要素に占有されたリソースの番号がＴであり、予め設定されたオフセット量が５である場合、他のアップリンク制御チャネル要素の番号は２（Ｔ＋５）＋ｉであってもよく、ここで、ｉが他のアップリンク制御チャネル要素におけるｉ番目のアップリンク制御チャネル要素を表す。
【００９８】
選択可能に、いくつかの実施例では、端末装置は第一のアップリンク制御チャネル要素に占有されたリソースの番号と他のダウンリンクデータのＨＡＲＱ時間シーケンス（又はＨＡＲＱタイミング（Ｔｉｍｉｎｇ）と呼ばれる）に基づいて他のアップリンク制御チャネル要素に占有されたリソースの番号を確定することができ、ここで複数のアップリンク制御チャネル要素がそれぞれ複数のダウンリンクデータのＡＣＫ／ＮＡＣＫ情報の伝送に用いられ、ここで他のダウンリンクデータが複数のダウンリンクデータのうちの第一のアップリンク制御チャネル要素に対応するダウンリンクデータ以外のダウンリンクデータである。
【００９９】
理解すべきものとして、一つのダウンリンクデータのＨＡＲＱ時間シーケンスは該ダウンリンクデータの受信時間（受信タイムスロット又は受信サブフレーム）と該ダウンリンクデータのＡＣＫ／ＮＡＣＫ情報のフィードバック時間（フィードバックタイムスロット又はフィードバックサブフレーム）とのタイミング関係を示すことに用いられてもよく、該タイミング関係がシステムによって予め定義されてもよい。
【０１００】
本発明の実施例では、複数のアップリンク制御チャネル要素と複数のダウンリンクデータは一対一関係を有することができ、ここで各アップリンク制御チャネル要素がそれに対応するダウンリンクデータのＡＣＫ／ＮＡＣＫ情報をフィードバックすることに用いられてもよく、このようにして、他のアップリンク制御チャネル要素と他のダウンリンクデータは一対一関係を有することができる。
【０１０１】
例えば、第一のアップリンク制御チャネル要素に占有されたリソースの番号がＴであり、他のダウンリンクデータにおけるｉ番目のダウンリンクデータが他のアップリンク制御チャネル要素におけるｉ番目のアップリンク制御チャネル要素に対応し、ｉ番目のダウンリンクデータのＨＡＲＱ時間シーケンスがｎ＋ｋであると仮定し、ここでｎが該ダウンリンクデータの受信サブフレームの番号を表し、ｋがダウンリンクデータのフィードバックサブフレームとダウンリンクデータの受信サブフレームの間の番号の差を表し、そうすると他のアップリンク制御チャネル要素におけるｉ番目のアップリンク制御チャネル要素の番号がＴ＋ｋに等しくてもよい。
【０１０２】
選択可能に、いくつかの実施例では、端末装置は第一のアップリンク制御チャネル要素に占有されたリソースの番号と他のダウンリンクデータの存在する時間ユニットの番号及び／又は他のダウンリンクデータの存在する搬送波の番号に基づいて他のアップリンク制御チャネル要素に占有されたリソースの番号をすることであって、ここで複数のアップリンク制御チャネル要素がそれぞれ複数のダウンリンクデータのＡＣＫ／ＮＡＣＫ情報の伝送に用いられ、他のダウンリンクデータが複数のダウンリンクデータのうちの第一のアップリンク制御チャネル要素に対応するダウンリンクデータ以外のダウンリンクデータである。
【０１０３】
本発明の実施例では、複数のアップリンク制御チャネル要素と複数のダウンリンクデータは一対一関係を有することができ、ここで各アップリンク制御チャネル要素がそれに対応するダウンリンクデータのＡＣＫ／ＮＡＣＫ情報をフィードバックすることに用いられてもよく、このようにして、他のアップリンク制御チャネル要素と他のダウンリンクデータは一対一関係を有することができる。
【０１０４】
例えば、他のアップリンク制御チャネル要素に占有されたリソースの番号は第一のアップリンク制御チャネル要素に占有されたリソースの番号と他のダウンリンクデータの存在する時間ユニットの番号及び／又は他のダウンリンクデータの存在する搬送波の番号の和、差又は他のいずれかの組み合わせであってもよい。
【０１０５】
選択可能に、いくつかの実施例では、端末装置は第一のアップリンク制御チャネル要素に占有されたリソースの番号と他のダウンリンクデータの番号に基づいて他のアップリンク制御チャネル要素に占有されたリソースの番号をすることであって、ここで複数のアップリンク制御チャネル要素がそれぞれ複数のダウンリンクデータのＡＣＫ／ＮＡＣＫ情報の伝送に用いられ、他のダウンリンクデータが複数のダウンリンクデータのうちの第一のアップリンク制御チャネル要素に対応するダウンリンクデータ以外のダウンリンクデータである。
【０１０６】
本発明の実施例では、複数のアップリンク制御チャネル要素と複数のダウンリンクデータは一対一関係を有することができ、ここで各アップリンク制御チャネル要素がそれに対応するダウンリンクデータのＡＣＫ／ＮＡＣＫ情報をフィードバックすることに用いられてもよく、このようにして、他のアップリンク制御チャネル要素と他のダウンリンクデータは一対一関係を有することができる。
【０１０７】
例えば、他のアップリンク制御チャネル要素に占有されたリソースの番号は第一のアップリンク制御チャネル要素に占有されたリソースの番号と他のダウンリンクデータの番号の和、差又は他のいずれかの組み合わせであってもよい。
【０１０８】
選択可能に、いくつかの実施例では、端末装置は第一のアップリンク制御チャネル要素に占有されたリソースの番号と他のダウンリンクデータに含まれる伝送ブロック（ＴＢ：Ｔｒａｎｓｐｏｒｔ  Ｂｌｏｃｋ）又は符号化ブロックの番号に基づいて他のアップリンク制御チャネル要素に占有されたリソースの番号をすることであって、ここで複数のアップリンク制御チャネル要素がそれぞれ複数のダウンリンクデータのＡＣＫ／ＮＡＣＫ情報の伝送に用いられ、他のダウンリンクデータが複数のダウンリンクデータのうちの第一のアップリンク制御チャネル要素に対応するダウンリンクデータ以外のダウンリンクデータである。具体的には、複数のアップリンク制御チャネル要素と複数のダウンリンクデータは一対一関係を有し、ここで各アップリンク制御チャネル要素がそれに対応するダウンリンクデータのＡＣＫ／ＮＡＣＫ情報をフィードバックすることに用いられてもよい。
【０１０９】
本発明の実施例では、複数のアップリンク制御チャネル要素と複数のダウンリンクデータは一対一関係を有することができ、ここで各アップリンク制御チャネル要素がそれに対応するダウンリンクデータのＡＣＫ／ＮＡＣＫ情報をフィードバックすることに用いられてもよく、このようにして、他のアップリンク制御チャネル要素と他のダウンリンクデータは一対一関係を有することができる。
【０１１０】
例えば、他のアップリンク制御チャネル要素に占有されたリソースの番号は第一のアップリンク制御チャネル要素に占有されたリソースの番号と他のダウンリンクデータに含まれるＴＢ又は符号化ブロックの番号の和、差又は他のいずれかの組み合わせであってもよい。
【０１１１】
以上に、第一のアップリンク制御チャネル要素に占有されたリソースに基づいて他のアップリンク制御チャネル要素に占有されたリソースを確定する方式を主に説明し、以下に第一のアップリンク制御チャネル要素に占有されたリソースの確定方式を詳細に説明する。
【０１１２】
選択可能に、一つの実施例として、上記端末装置が複数のアップリンク制御チャネル要素のうちの第一のアップリンク制御チャネル要素に占有されたリソースを確定することは、端末装置がネットワーク装置から送信されたシグナリングに応じて第一のアップリンク制御チャネル要素に占有されたリソースを確定することを含むことができる。例えば、端末はネットワーク装置から送信された物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を受信し、ＰＤＣＣＨに第一のアップリンク制御チャネル要素に占有されたリソースを示すための情報が含まれる。
【０１１３】
選択可能に、一つの実施例として、上記端末装置が複数のアップリンク制御チャネル要素のうちの第一のアップリンク制御チャネル要素に占有されたリソースを確定することは、端末装置が端末装置の無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）又は端末のＩＤ（ｉｄｅｎｔｉｔｙ）に基づいて第一のアップリンク制御チャネル要素に占有されたリソースを確定することを含むことができる。
【０１１４】
例えば、端末装置は、ＲＮＴＩ又はＩＤに基づき、予め定義された演算ルールにより第一のアップリンク制御チャネル要素の番号を計算し、その後第一のアップリンク制御チャネル要素の番号に基づいて第一のアップリンク制御チャネル要素に占有されたリソースを確定する。
【０１１５】
選択可能に、一つの実施例として、上記端末装置が複数のアップリンク制御チャネル要素のうちの第一のアップリンク制御チャネル要素に占有されたリソースを確定することは、端末装置が第一のアップリンク制御チャネルに対応するダウンリンク制御チャネルに占有された物理リソースの番号に基づいて第一のアップリンク制御チャネル要素に占有されたリソースを確定することを含むことができる。
【０１１６】
例えば、端末装置は、該ウンリンク制御チャネルに占有された物理リソースの番号に基づき、予め定義された演算ルールにより第一のアップリンク制御チャネル要素の番号を計算し、その後第一のアップリンク制御チャネル要素の番号に基づいて第一のアップリンク制御チャネル要素に占有されたリソースを確定する。
【０１１７】
第一のアップリンク制御チャネルは第一のダウンリンクデータのＡＣＫ／ＮＡＣＫ情報をフィードバックすることに用いられてもよく、第一のアップリンク制御チャネルに対応するダウンリンク制御チャネルは第一のダウンリンクデータをスケジューリングするためのダウンリンク制御チャネルを指すことができる。
【０１１８】
選択可能に、一つの実施例として、一つのアップリンク制御チャネル要素に占有されたリソースは、時間領域リソース、周波数領域リソース及びコード領域リソースのうちの少なくとも一つを含む。説明すべきものとして、一つのアップリンク制御チャネル要素に占有されたコード領域リソースは、該アップリンク制御チャネル要素における情報が符号化される時に用いられるコード領域シーケンスを指すことができる。
【０１１９】
選択可能に、一つの実施例として、上記複数のアップリンク制御チャネル要素はターゲットアップリンク制御情報を繰り返して伝送する。
【０１２０】
本発明の実施例では複数のアップリンク制御チャネルを用いてターゲットアップリンク制御情報を繰り返して伝送することにより、ターゲットアップリンク制御情報の伝送の信頼度を向上させることができる。
【０１２１】
例えば、端末装置は一つの時間ユニットでＱ個のアップリンク制御チャネル要素を用いてＰビットのアップリンク制御情報を繰り返して伝送し、ここでＰがＮ以下であり、前記Ｑ個のアップリンク制御チャネルのそれぞれに同じＰビットの情報が含まれ、ここでＱが１より大きく、Ｐが１以上であり、Ｎが一つのアップリンク制御チャネル要素が伝送できるアップリンク制御情報の最大ビット数を表す。
【０１２２】
選択可能に、一つの実施例として、上記複数のアップリンク制御チャネル要素はターゲットアップリンク制御情報を共同で伝送し、そして複数のアップリンク制御チャネル要素のうちの異なるアップリンク制御チャネル要素はターゲットアップリンク制御情報のうちの異なる情報を伝送する。
【０１２３】
例えば、端末装置は一つの時間ユニットでＱ個のアップリンク制御チャネル要素を用いてＫ個のビット情報を送信し、Ｋが１より大きい正整数であり、前記Ｑ個のアップリンク制御チャネル要素のうちの一部に含まれる情報が他のアップリンク制御チャネル要素に含まれる情報と異なり、ここでＱが１より大きく、Ｐが１以上である。
【０１２４】
以下にダウンリンクデータがＰＤＳＣＨであり、時間ユニットがタイムスロットであることを例とし、本発明の実施例をより詳細に説明する。
【０１２５】
シーン１において、端末装置はまずアップリンク制御チャネル要素に占有されたリソースのサイズを確定し、端末装置はターゲットタイムスロットを確定するためにＬ個のＰＤＳＣＨに対応するＡＣＫ／ＮＡＣＫ情報をフィードバックする必要があり、ここで各アップリンク制御チャネル要素が一つのＰＤＳＣＨに対応するＡＣＫ／ＮＡＣＫ情報をフィードバックすることに用いられてもよく、Ｌが１より大きく、端末装置は一つのスロット（ｓｌｏｔ）でアップリンク制御情報を伝送するためにＬ個のアップリンク制御チャネル要素を用いる必要があることを確定する。
【０１２６】
具体的には、図２ｂに示すように、端末装置はアップリンク制御チャネル要素に占有された時間領域リソースの長さが１つのＯＦＤＭシンボルであり、周波数領域リソースの長さが１つのＲＢに対応する周波数領域リソースの長さであり、例えば１２つのサブ搬送波である。端末装置はＤＣＩを受信し、該ＤＣＩがＰＤＳＣＨを受信するように端末をスケジューリングすることに用いられ、そして該ＤＣＩがさらに現在のＰＤＳＣＨに対応するＡＣＫ／ＮＡＣＫを伝送するためのアップリンク制御チャネル要素のリソース位置（時間領域位置、周波数領域位置、コード領域シーケンスインデックス）を示す。
【０１２７】
シーン２において、端末装置はまずアップリンク制御チャネル要素に占有されたリソースのサイズを確定し、端末装置は一つのアップリンク制御チャネル要素が伝送できるアップリンク制御情報の最大ビット数Ｎを確定し、そして伝送待ちターゲットアップ制御情報のビット数を確定し、端末装置は
2020502855.tif 000006
に基づいてターゲットアップリンク制御情報の伝送に必要なアップリンク制御チャネル要素の数を確定する。
【０１２８】
具体的には、端末装置はアップリンク制御チャネル要素に占有された時間領域リソースの長さが１つのＯＦＤＭシンボルであり、周波数領域リソースの長さが１つのＲＢに対応する周波数領域リソースの長さであり、例えば１２つのサブ搬送波であることを確定する。一つのアップリンク制御チャネル要素に最大２ビットの情報が含まれると仮定し、端末装置がターゲットタイムスロットで１０ビットのＣＳＩをフィードバックする必要がある場合、端末装置は５つのアップリンク制御チャネル要素を用いて該１０ビットのＣＳＩを伝送することを確定し、端末装置がターゲットタイムスロットで１５ビットのＣＳＩをフィードバックする必要がある場合、端末装置は８つのアップリンク制御チャネル要素を用いて該１５ビットのＣＳＩを伝送することを確定する。
【０１２９】
以上に図１〜図２ｂを組み合わせ、端末装置の観点から本発明の実施例におけるアップリンク制御情報を伝送するための方法を詳細に説明し、以下に図３を組み合わせ、ネットワーク装置の観点から本発明の実施例におけるアップリンク制御情報を伝送するための方法を詳細に説明する。理解すべきものとして、ネットワーク装置側の説明と端末装置側の説明が相互に対応し、類似の内容について上記を参照でき、ここで詳細な説明を省略する。
【０１３０】
図３は本発明の実施例によるアップリンク制御情報を伝送するための方法の概略フローチャートである。図３に示す方法は、３１０と３２０を含む。
【０１３１】
３１０において、ネットワーク装置はターゲットアップリンク制御情報を伝送するための複数のアップリンク制御チャネル要素を確定し、前記複数のアップリンク制御チャネル要素が時間領域において同一のターゲット時間ユニットに位置し、そして前記複数のアップリンク制御チャネル要素のそれぞれがアップリンク制御情報を個別に伝送することができる。
【０１３２】
３２０において、前記ネットワーク装置は前記ターゲット時間ユニットで、前記複数のアップリンク制御チャネル要素を介して端末装置から送信された前記ターゲットアップリンク制御情報を受信する。
【０１３３】
本発明の実施例では、端末装置とネットワーク装置はアップリンク制御チャネル要素を単位としてアップリンク制御情報の伝送を行い、ターゲットアップリンク制御情報の伝送過程において、端末装置はターゲットアップリンク制御情報に基づいて使用を必要とするアップリンク制御チャネル要素の数を確定し、さらに確定されたアップリンク制御チャネル要素を用いてターゲットアップリンク制御情報の伝送を行い、言い換えれば、端末装置は実際の状況に応じて、ターゲットアップリンク制御情報の伝送に必要なアップリンクリソースを柔軟に選択することができ、これによりアップリンク制御情報伝送の柔軟性が向上する。例えば、上記アップリンク制御チャネル要素は一つの小容量のアップリンク制御チャネルフォーマットに対応することができ、端末装置は実際のニーズに応じて、アップリンク制御チャネル要素を単位としてアップリンク制御情報の伝送リソースを柔軟に拡張することができ、これにより、アップリンク制御情報伝送の柔軟性が向上する。
【０１３４】
選択可能に、いくつかの実施例では、ステップ３１０の前に、図３の方法はさらにネットワーク装置がアップリンク制御チャネル要素を確定することを含むことができる。例えば、アップリンク制御チャネル要素に占有された時間領域リソースの長さ、アップリンク制御チャネル要素に占有された周波数領域リソースの長さ、アップリンク制御チャネル要素が伝送できるアップリンク制御情報の最大ビット数などのうちの少なくとも一つを確定する。
【０１３５】
選択可能に、いくつかの実施例では、ステップ３１０の前に、図３の方法はさらにネットワーク装置がターゲット時間ユニットで伝送する必要があるターゲットアップリンク制御情報を確定することを含むことができる。具体的には、ターゲットアップリンク制御情報はダウンリンクデータに対応するＡＣＫ／ＮＡＣＫ情報を含むことができ、端末装置は受信されたターゲットダウンリンクデータの数に基づき、ターゲット時間ユニットで伝送する必要があるＡＣＫ／ＮＡＣＫ情報を確定することができ、ここで前記ターゲットダウンリンクデータに対応するＡＣＫ／ＮＡＣＫ情報がターゲット時間ユニットで伝送される必要がある。
【０１３６】
選択可能に、いくつかの実施例では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【０１３７】
選択可能に、いくつかの実施例では、図３の方法はさらに前記ネットワーク装置がプロトコルに定められたルールに応じて前記アップリンク制御チャネル要素に占有された時間領域リソース及び／又は周波数領域リソースの長さを確定することを含むことができる。
【０１３８】
選択可能に、いくつかの実施例では、図３の方法はさらに前記ネットワーク装置が前記アップリンク制御チャネル要素に占有された時間領域リソース及び／又は周波数領域リソースの長さを設定することを含むことができる。
【０１３９】
選択可能に、いくつかの実施例では、一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ／ＮＡＣＫ情報の最大ビット数に等しいこと、及び
Ｎの値が前記ネットワーク装置によって設定されることである。
【０１４０】
選択可能に、いくつかの実施例では、ステップ３１０は、前記ネットワーク装置が前記端末装置へ複数のダウンリンクデータを送信することであって、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含むことと、前記ネットワーク装置が前記複数のダウンリンクデータのそれぞれに対応するアップリンク制御チャネル要素を確定し、前記複数のアップリンク制御チャネル要素を得ることとを含むことができる。
【０１４１】
選択可能に、いくつかの実施例では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【０１４２】
選択可能に、いくつかの実施例では、図３の方法はさらに、前記ネットワーク装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することを含むことができる。
【０１４３】
選択可能に、いくつかの実施例では、前記ネットワーク装置が前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定することは、前記ネットワーク装置が
2020502855.tif 000007
に基づき、前記ターゲットアップリンク制御情報の伝送に必要なアップリンク制御チャネル要素の数をすることであって、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表すことを含む。
【０１４４】
選択可能に、いくつかの実施例では、図３の方法はさらに、前記ネットワーク装置が指示情報を生成し、前記指示情報が前記複数のアップリンク制御チャネル要素に占有されたリソースを確定するための情報を含むことと、前記ネットワーク装置が前記端末装置へ前記指示情報を送信することとを含むことができる。
【０１４５】
選択可能に、いくつかの実施例では、前記指示情報はＤＣＩである。
【０１４６】
選択可能に、いくつかの実施例では、図３の方法はさらに、前記ネットワークが前記複数のアップリンク制御チャネル要素のうちの第一のアップリンク制御チャネル要素に占有されたリソースを確定することと、前記ネットワーク装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することとを含むことができる。
【０１４７】
選択可能に、いくつかの実施例では、前記ネットワーク装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することは、前記ネットワーク装置が前記第一のアップリンク制御チャネル要素に占有されたリソースの番号に基づき、前記他のアップリンク制御チャネル要素に占有されたリソースの番号を確定することと、前記ネットワーク装置が前記他のアップリンク制御チャネル要素に占有されたリソースの番号に基づき、前記他のアップリンク制御チャネル要素に占有されたリソースを確定することとを含むことができる。
【０１４８】
選択可能に、いくつかの実施例では、前記ネットワーク装置は前記他のアップリンク制御チャネル要素に占有されたリソースの番号に基づき、前記他のアップリンク制御チャネル要素に占有されたリソースを確定することは、
前記ネットワーク装置が前記第一のアップリンク制御チャネル要素に占有されたリソースの番号と予め定義された関数に基づき、前記他のアップリンク制御チャネル要素に占有されたリソースの番号を確定すること、又は、
前記ネットワーク装置が前記第一のアップリンク制御チャネル要素に占有されたリソースの番号と予め設定されたオフセット量に基づき、前記他のアップリンク制御チャネル要素に占有されたリソースの番号を確定すること、又は、
前記ネットワーク装置が前記第一のアップリンク制御チャネル要素に占有されたリソースの番号と他のダウンリンクデータのＨＡＲＱ時間シーケンスに基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記ネットワーク装置が前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記ネットワーク装置が前記第一のアップリンク制御チャネル要素に占有されたリソースの番号と他のダウンリンクデータの番号に基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであること、又は、
前記ネットワーク装置が前記第一のアップリンク制御チャネル要素に占有されたリソースの番号と他のダウンリンクデータに含まれるＴＢ又は符号化ブロックの番号に基づいて前記他のアップリンク制御チャネル要素に占有されたリソースの番号をすることであって、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであることを含むことができる。
【０１４９】
選択可能に、いくつかの実施例では、前記他のアップリンク制御チャネル要素に占有されたリソースと前記第一のアップリンク制御チャネル要素に占有されたリソースは少なくとも一部で同じである。
【０１５０】
選択可能に、いくつかの実施例では、前記ネットワーク装置が前記複数のアップリンク制御チャネル要素のうちの第一のアップリンク制御チャネルに占有されたリソースを確定することは、
前記ネットワーク装置が前記第一のアップリンク制御チャネル要素に占有されたリソースを構成すること、又は、
前記ネットワーク装置が前記端末装置のＲＮＴＩ又は前記端末装置のＩＤに基づいて前記第一のアップリンク制御チャネル要素に占有されたリソースを確定すること、又は、
前記ネットワーク装置が前記第一のアップリンク制御チャネルに対応するダウンリンク制御チャネルに占有された物理リソースの番号に基づいて前記第一のアップリンク制御チャネル要素に占有されたリソースを確定することを含む。
【０１５１】
選択可能に、いくつかの実施例では、一つのアップリンク制御チャネル要素に占有されたリソースは、時間領域リソース、周波数領域リソース及びコード領域リソースのうちの少なくとも一つを含む。
【０１５２】
選択可能に、いくつかの実施例では、前記複数のアップリンク制御チャネル要素は前記ターゲットアップリンク制御情報を繰り返して伝送する。
【０１５３】
選択可能に、いくつかの実施例では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【０１５４】
選択可能に、いくつかの実施例では、前記一つの時間ユニットは一つのタイムスロットである。
【０１５５】
以上に図１〜図３を組み合わせ、本発明の方法の実施例を詳細に説明し、以下に図４−図７を組み合わせ、本発明の装置の実施例を詳細に説明し、理解すべきものとして、装置の実施例は方法の実施例に対応し、類似の説明について方法の実施例を参照できる。
【０１５６】
図４は本発明の実施例による端末装置の概略構造図である。図４の端末装置４００は、第一の確定モジュール４１０及び送信モジュール４２０を備える。
【０１５７】
第一の確定モジュール４１０は、ターゲットアップリンク制御情報を伝送するための複数のアップリンク制御チャネル要素を確定するように構成され、前記複数のアップリンク制御チャネル要素が時間領域において同一のターゲット時間ユニットに位置し、そして前記複数のアップリンク制御チャネル要素のそれぞれがアップリンク制御情報を個別に伝送することができる。
【０１５８】
送信モジュール４２０は、前記ターゲット時間ユニットで、前記複数のアップリンク制御チャネル要素を介してネットワーク装置へ前記ターゲットアップリンク制御情報を送信するように構成される。
【０１５９】
選択可能に、いくつかの実施例では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【０１６０】
選択可能に、いくつかの実施例では、前記端末装置４００はさらにプロトコルに定められたルールに応じて前記アップリンク制御チャネル要素に占有された時間領域リソース及び／又は周波数領域リソースの長さを確定するように構成される第二の確定モジュールを備える。
【０１６１】
選択可能に、いくつかの実施例では、前記端末装置４００はさらに前記ネットワーク装置から送信されたシグナリングに応じて前記アップリンク制御チャネル要素に占有された時間領域リソース及び／又は周波数領域リソースの長さを確定するように構成される第三の確定モジュールを備える。
【０１６２】
選択可能に、いくつかの実施例では、一つのアップリンク制御チャネル要素が伝送できるアップリンク制御情報の最大ビット数はＮであり、ここでＮの値の取り方式について以下の少なくとも一つの値の取り方式を用いる：Ｎの値が２であること、Ｎの値が予め設定された一つの時間ユニットで伝送されるダウンリンクデータに対応するＡＣＫ／ＮＡＣＫ情報の最大ビット数に等しいこと、及びＮの値が前記ネットワーク装置によって設定されることである。
【０１６３】
選択可能に、いくつかの実施例では、前記第一の確定モジュール４１０は具体的に複数のダウンリンクデータを受信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成される。
【０１６４】
選択可能に、いくつかの実施例では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【０１６５】
選択可能に、いくつかの実施例では、前記端末装置４００はさらに前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定するように構成される第四の確定モジュールを備える。
【０１６６】
選択可能に、いくつかの実施例では、前記第四の確定モジュールは具体的に
2020502855.tif 000008
に基づき、前記ターゲットアップリンク制御情報の伝送に必要なアップリンク制御チャネル要素の数を確定するように構成され、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表す。
【０１６７】
選択可能に、いくつかの実施例では、前記端末装置４００はさらに前記ネットワーク装置から送信された指示情報を受信するように構成され、前記指示情報が前記複数のアップリンク制御チャネル要素に占有されたリソースを確定するための情報を含む第一の受信モジュールと、前記指示情報に基づき、前記複数のアップリンク制御チャネル要素に占有されたリソースを確定するように構成される第五の確定モジュールとを備える。
【０１６８】
選択可能に、いくつかの実施例では、前記指示情報はダウンリンク制御情報（ＤＣＩ）である。
【０１６９】
選択可能に、いくつかの実施例では、前記端末装置４００はさらに前記複数のアップリンク制御チャネル要素のうちの第一のアップリンク制御チャネル要素に占有されたリソースを確定するように構成される第六の確定モジュールと、前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される第七の確定モジュールとを備える。
【０１７０】
選択可能に、いくつかの実施例では、前記第七の確定モジュールは具体的に前記第一のアップリンク制御チャネル要素に占有されたリソースの番号に基づき、前記他のアップリンク制御チャネル要素に占有されたリソースの番号を確定し、前記他のアップリンク制御チャネル要素に占有されたリソースの番号に基づき、前記他のアップリンク制御チャネル要素に占有されたリソースを確定するように構成される。
【０１７１】
選択可能に、いくつかの実施例では、前記第七の確定モジュールは具体的に前記第一のアップリンク制御チャネル要素に占有されたリソースの番号と予め定義された関数に基づいて前記他のアップリンク制御チャネル要素に占有されたリソースの番号を確定するように構成され、又は、前記第一のアップリンク制御チャネル要素に占有されたリソースの番号と予め設定されたオフセット量に基づいて前記他のアップリンク制御チャネル要素に占有されたリソースの番号を確定するように構成され、又は、前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報を伝送することに用いられ、前記他のダウンリンクデータが前記複数のダウンリンクデータのうちの前記第一のアップリンク制御チャネル要素に対応するダウンリンクデータ以外のダウンリンクデータであり、又は、前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されえたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、前記第一のアップリンク制御チャネル要素に占有されたリソースの番号と他のダウンリンクデータの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウン
リンクデータであり、又は、前記第一のアップリンク制御チャネル要素に占有されたリソースの番号と他のダウンリンクデータに含まれる伝送ブロック（ＴＢ）又は符号化ブロックの番号に基づいて他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータである。
【０１７２】
選択可能に、いくつかの実施例では、前記他のアップリンク制御チャネル要素に占有されたリソースと前記第一のアップリンク制御チャネル要素に占有されたリソースは少なくとも一部で同じである。
【０１７３】
選択可能に、いくつかの実施例では、前記第六の確定モジュールは具体的に前記ネットワーク装置から送信されたシグナリングに応じて前記第一のアップリンク制御チャネル要素に占有されたリソースを確定するように構成され、又は、前記端末装置４００の無線ネットワーク一時識別子（ＲＮＴＩ）又は前記端末装置のＩＤに基づいて前記第一のアップリンク制御チャネル要素に占有されたリソースを確定するように構成され、又は、前記第一のアップリンク制御チャネルに対応するダウンリンク制御チャネルに占有された物理リソースの番号に基づいて前記第一のアップリンク制御チャネル要素に占有されたリソースを確定するように構成される。
【０１７４】
選択可能に、いくつかの実施例では、一つのアップリンク制御チャネル要素に占有されたリソースは、時間領域リソース、周波数領域リソース及びコード領域リソースのうちの少なくとも一つを含む。
【０１７５】
選択可能に、いくつかの実施例では、前記複数のアップリンク制御チャネル要素は前記ターゲットアップリンク制御情報を繰り返して伝送する。
【０１７６】
選択可能に、いくつかの実施例では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【０１７７】
選択可能に、いくつかの実施例では、前記一つの時間ユニットは一つのタイムスロットである。
【０１７８】
図５は本発明の実施例によるネットワーク装置の概略構造図である。図５のネットワーク装置５００は、第一の確定モジュール５１０及び受信モジュール５２０を備える。
【０１７９】
第一の確定モジュール５１０は、ターゲットアップリンク制御情報を伝送するための複数のアップリンク制御チャネル要素を確定するように構成され、前記複数のアップリンク制御チャネル要素が時間領域において同一のターゲット時間ユニットに位置し、そして前記複数のアップリンク制御チャネル要素のそれぞれがアップリンク制御情報を個別に伝送することができる。
【０１８０】
受信モジュール５２０は、前記ターゲット時間ユニットで、前記複数のアップリンク制御チャネル要素を介して端末装置から送信された前記ターゲットアップリンク制御情報を受信するように構成される。
【０１８１】
選択可能に、いくつかの実施例では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【０１８２】
選択可能に、いくつかの実施例では、前記ネットワーク装置５００はさらにプロトコルに定められたルールに応じて前記アップリンク制御チャネル要素に占有された時間領域リソース及び／又は周波数領域リソースの長さを確定するように構成される第二の確定モジュールを備える。
【０１８３】
選択可能に、いくつかの実施例では、前記ネットワーク装置５００はさらに前記ネットワーク装置５００から送信されたシグナリングに応じて前記アップリンク制御チャネル要素に占有された時間領域リソース及び／又は周波数領域リソースの長さを確定するように構成される第三の確定モジュールを備える。
【０１８４】
選択可能に、いくつかの実施例では、一つのアップリンク制御チャネル要素が伝送できるアップリンク制御情報の最大ビット数はＮであり、ここでＮの値の取り方式について以下の少なくとも一つの値の取り方式を用いる：Ｎの値が２であること、Ｎの値が予め設定された一つの時間ユニットで伝送されるダウンリンクデータに対応するＡＣＫ  ／  ＮＡＣＫ情報の最大ビット数に等しいこと、及びＮの値が前記ネットワーク装置５００によって設定されることである。
【０１８５】
選択可能に、いくつかの実施例では、前記第一の確定モジュール５１０は具体的に前記端末装置へ複数のダウンリンクデータを送信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成される。
【０１８６】
選択可能に、いくつかの実施例では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【０１８７】
選択可能に、いくつかの実施例では、前記ネットワーク装置５００はさらに前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定するように構成される第四の確定モジュールを備える。
【０１８８】
選択可能に、いくつかの実施例では、前記第四の確定モジュールは具体的に
2020502855.tif 000009
に基づき、前記ターゲットアップリンク制御情報の伝送に必要なアップリンク制御チャネル要素の数を確定するように構成され、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表す。
【０１８９】
選択可能に、いくつかの実施例では、前記ネットワーク装置５００はさらに指示情報を生成するように構成され、前記指示情報が前記複数のアップリンク制御チャネル要素に占有されたリソースを確定するための情報を含む生成モジュールと、前記端末装置へ前記指示情報を送信するように構成される送信モジュールとを備える。
【０１９０】
選択可能に、いくつかの実施例では、前記指示情報はダウンリンク制御情報（ＤＣＩ）である。
【０１９１】
選択可能に、いくつかの実施例では、前記ネットワーク装置５００はさらに前記複数のアップリンク制御チャネル要素のうちの第一のアップリンク制御チャネル要素に占有されたリソースを確定するように構成される第五の確定モジュールと、前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される第六の確定モジュールとを備える。
【０１９２】
選択可能に、いくつかの実施例では、前記第六の確定モジュールは具体的に前記第一のアップリンク制御チャネル要素に占有されたリソースの番号に基づき、前記他のアップリンク制御チャネル要素に占有されたリソースの番号を確定し、前記他のアップリンク制御チャネル要素に占有されたリソースの番号に基づき、前記他のアップリンク制御チャネル要素に占有されたリソースを確定するように構成される。
【０１９３】
選択可能に、いくつかの実施例では、前記第六の確定モジュールは具体的に前記第一のアップリンク制御チャネル要素に占有されたリソースの番号と予め定義された関数に基づいて前記他のアップリンク制御チャネル要素に占有されたリソースの番号を確定するように構成され、又は、前記第一のアップリンク制御チャネル要素に占有されたリソースの番号と予め設定されたオフセット量に基づいて前記他のアップリンク制御チャネル要素に占有されたリソースの番号を確定するように構成され、又は、前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報を伝送することに用いられ、前記他のダウンリンクデータが前記複数のダウンリンクデータのうちの前記第一のアップリンク制御チャネル要素に対応するダウンリンクデータ以外のダウンリンクデータであり、又は前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されえたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は前記第一のアップリンク制御チャネル要素に占有されたリソースの番号と他のダウンリンクデータの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリン
クデータであり、又は前記第一のアップリンク制御チャネル要素に占有されたリソースの番号と他のダウンリンクデータに含まれる伝送ブロック（ＴＢ）又は符号化ブロックの番号に基づいて他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータである。
【０１９４】
選択可能に、いくつかの実施例では、前記他のアップリンク制御チャネル要素に占有されたリソースと前記第一のアップリンク制御チャネル要素に占有されたリソースは少なくとも一部で同じである。
【０１９５】
選択可能に、いくつかの実施例では、前記第五の確定モジュールは具体的に前記第一のアップリンク制御チャネル要素に占有されたリソースを構成するように構成され、又は、前記端末装置の無線ネットワーク一時識別子（ＲＮＴＩ）又は前記端末装置のＩＤに基づいて前記第一のアップリンク制御チャネル要素に占有されたリソースを確定するように構成され、又は、前記第一のアップリンク制御チャネルに対応するダウンリンク制御チャネルに占有された物理リソースの番号に基づいて前記第一のアップリンク制御チャネル要素に占有されたリソースを確定するように構成される。
【０１９６】
選択可能に、いくつかの実施例では、一つのアップリンク制御チャネル要素に占有されたリソースは、時間領域リソース、周波数領域リソース及びコード領域リソースのうちの少なくとも一つを含む。
【０１９７】
選択可能に、いくつかの実施例では、前記複数のアップリンク制御チャネル要素は前記ターゲットアップリンク制御情報を繰り返して伝送する。
【０１９８】
選択可能に、いくつかの実施例では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【０１９９】
選択可能に、いくつかの実施例では、前記一つの時間ユニットは一つのタイムスロットである。
【０２００】
図６は本発明の実施例による端末装置の概略構造図である。図６の端末装置６００は、プロセッサ６１０及び送受信機６２０を備える。
【０２０１】
プロセッサ６１０は、ターゲットアップリンク制御情報を伝送するための複数のアップリンク制御チャネル要素を確定するように構成され、前記複数のアップリンク制御チャネル要素が時間領域において同一のターゲット時間ユニットに位置し、そして前記複数のアップリンク制御チャネル要素のそれぞれがアップリンク制御情報を個別に伝送することができる。
【０２０２】
送受信機６２０は、前記ターゲット時間ユニットで、前記複数のアップリンク制御チャネル要素を介してネットワーク装置へ前記ターゲットアップリンク制御情報を送信するように構成される。
【０２０３】
選択可能に、いくつかの実施例では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【０２０４】
選択可能に、いくつかの実施例では、前記プロセッサ６１０は具体的にプロトコルに定められたルールに応じて前記アップリンク制御チャネル要素に占有された時間領域リソース及び／又は周波数領域リソースの長さを確定するように構成される。
【０２０５】
選択可能に、いくつかの実施例では、前記プロセッサ６１０は具体的に前記ネットワーク装置から送信されたシグナリングに応じて前記アップリンク制御チャネル要素に占有された時間領域リソース及び／又は周波数領域リソースの長さを確定するように構成される。
【０２０６】
選択可能に、いくつかの実施例では、一つのアップリンク制御チャネル要素が伝送できるアップリンク制御情報の最大ビット数はＮであり、ここでＮの値の取り方式について以下の少なくとも一つの値の取り方式を用いる：Ｎの値が２であること、Ｎの値が予め設定された一つの時間ユニットで伝送されるダウンリンクデータに対応するＡＣＫ／ＮＡＣＫ情報の最大ビット数に等しいこと、及びＮの値が前記ネットワーク装置によって設定されることである。
【０２０７】
選択可能に、いくつかの実施例では、前記送受信機６２０は具体的に複数のダウンリンクデータを受信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成される。
【０２０８】
選択可能に、いくつかの実施例では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【０２０９】
選択可能に、いくつかの実施例では、前記プロセッサ６１０は具体的に前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定するように構成される。
【０２１０】
選択可能に、いくつかの実施例では、前記プロセッサ６１０は具体的に
2020502855.tif 000010
に基づき、前記ターゲットアップリンク制御情報の伝送に必要なアップリンク制御チャネル要素の数を確定するように構成され、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表す。
【０２１１】
選択可能に、いくつかの実施例では、前記送受信機６２０はさらに前記ネットワーク装置から送信された指示情報を受信するように構成され、前記指示情報が前記複数のアップリンク制御チャネル要素に占有されたリソースを確定するための情報を含み、前記プロセッサ６１０はさらに前記指示情報に基づき、前記複数のアップリンク制御チャネル要素に占有されたリソースを確定するように構成される。
【０２１２】
選択可能に、いくつかの実施例では、前記指示情報はダウンリンク制御情報（ＤＣＩ）である。
【０２１３】
選択可能に、いくつかの実施例では、前記プロセッサ６１０はさらに前記複数のアップリンク制御チャネル要素のうちの第一のアップリンク制御チャネル要素に占有されたリソースを確定し、前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される。
【０２１４】
選択可能に、いくつかの実施例では、前記プロセッサ６１０は具体的に前記第一のアップリンク制御チャネル要素に占有されたリソースの番号に基づき、前記他のアップリンク制御チャネル要素に占有されたリソースの番号を確定し、前記他のアップリンク制御チャネル要素に占有されたリソースの番号に基づき、前記他のアップリンク制御チャネル要素に占有されたリソースを確定するように構成される。
【０２１５】
選択可能に、いくつかの実施例では、前記プロセッサ６１０は具体的に前記第一のアップリンク制御チャネル要素に占有されたリソースの番号と予め定義された関数に基づいて前記他のアップリンク制御チャネル要素に占有されたリソースの番号を確定するように構成され、又は、前記第一のアップリンク制御チャネル要素に占有されたリソースの番号と予め設定されたオフセット量に基づいて前記他のアップリンク制御チャネル要素に占有されたリソースの番号を確定するように構成され、又は、前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報を伝送することに用いられ、前記他のダウンリンクデータが前記複数のダウンリンクデータのうちの前記第一のアップリンク制御チャネル要素に対応するダウンリンクデータ以外のダウンリンクデータであり、又は、前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されえたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、前記第一のアップリンク制御チャネル要素に占有されたリソースの番号と他のダウンリンクデータの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリン
クデータであり、又は、前記第一のアップリンク制御チャネル要素に占有されたリソースの番号と他のダウンリンクデータに含まれる伝送ブロック（ＴＢ）又は符号化ブロックの番号に基づいて他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータである。
【０２１６】
選択可能に、いくつかの実施例では、前記他のアップリンク制御チャネル要素に占有されたリソースと前記第一のアップリンク制御チャネル要素に占有されたリソースは少なくとも一部で同じである。
【０２１７】
選択可能に、いくつかの実施例では、プロセッサ６１０は具体的に前記ネットワーク装置から送信されたシグナリングに応じて前記第一のアップリンク制御チャネル要素に占有されたリソースを確定するように構成され、又は、前記端末装置６００の無線ネットワーク一時識別子（ＲＮＴＩ）又は前記端末装置のＩＤに基づいて前記第一のアップリンク制御チャネル要素に占有されたリソースを確定するように構成され、又は、前記第一のアップリンク制御チャネルに対応するダウンリンク制御チャネルに占有された物理リソースの番号に基づいて前記第一のアップリンク制御チャネル要素に占有されたリソースを確定するように構成される。
【０２１８】
選択可能に、いくつかの実施例では、一つのアップリンク制御チャネル要素に占有されたリソースは、時間領域リソース、周波数領域リソース及びコード領域リソースのうちの少なくとも一つを含む。
【０２１９】
選択可能に、いくつかの実施例では、前記複数のアップリンク制御チャネル要素は前記ターゲットアップリンク制御情報を繰り返して伝送する。
【０２２０】
選択可能に、いくつかの実施例では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【０２２１】
選択可能に、いくつかの実施例では、前記一つの時間ユニットは一つのタイムスロットである。
【０２２２】
図７は本発明の実施例によるネットワーク装置の概略構造図である。図７のネットワーク装置７００は、プロセッサ７１０及び送受信機７２０を備える。
【０２２３】
プロセッサ７１０は、ターゲットアップリンク制御情報を伝送するための複数のアップリンク制御チャネル要素を確定するように構成され、前記複数のアップリンク制御チャネル要素が時間領域において同一のターゲット時間ユニットに位置し、そして前記複数のアップリンク制御チャネル要素のそれぞれがアップリンク制御情報を個別に伝送することができる。
【０２２４】
送受信機７２０は、前記ターゲット時間ユニットで、前記複数のアップリンク制御チャネル要素を介して端末装置から送信された前記ターゲットアップリンク制御情報を受信するように構成される。
【０２２５】
選択可能に、いくつかの実施例では、前記アップリンク制御チャネル要素に占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数である。
【０２２６】
選択可能に、いくつかの実施例では、前記プロセッサ７１０はさらにプロトコルに定められたルールに応じて前記アップリンク制御チャネル要素に占有された時間領域リソース及び／又は周波数領域リソースの長さを確定するように構成される。
【０２２７】
選択可能に、いくつかの実施例では、前記プロセッサ７１０はさらに前記ネットワーク装置７００から送信されたシグナリングに応じて前記アップリンク制御チャネル要素に占有された時間領域リソース及び／又は周波数領域リソースの長さを確定するように構成される。
【０２２８】
選択可能に、いくつかの実施例では、一つのアップリンク制御チャネル要素が伝送できるアップリンク制御情報の最大ビット数はＮであり、ここでＮの値の取り方式について以下の少なくとも一つの値の取り方式を用いる：Ｎの値が２であること、Ｎの値が予め設定された一つの時間ユニットで伝送されるダウンリンクデータに対応するＡＣＫ  ／  ＮＡＣＫ情報の最大ビット数に等しいこと、及びＮの値が前記ネットワーク装置７００によって設定されることである。
【０２２９】
選択可能に、いくつかの実施例では、前記プロセッサ７１０は具体的に前記端末装置へ複数のダウンリンクデータを送信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成される。
【０２３０】
選択可能に、いくつかの実施例では、前記複数のダウンリンクデータのそれぞれが前記複数のアップリンク制御チャネル要素のうちの少なくとも一つに対応し、ここで、前記複数のアップリンク制御チャネル要素のそれぞれが前記各アップリンク制御チャネル要素に対応するダウンリンクデータのＡＣＫ／ＮＡＣＫ情報を伝送することに用いられる。
【０２３１】
選択可能に、いくつかの実施例では、前記プロセッサ７１０はさらに前記ターゲットアップリンク制御情報のビット数と一つのアップリンク制御ユニットが伝送できるアップリンク制御情報の最大ビット数に基づき、前記ターゲットアップリンク制御情報の伝送に必要なアップリンク制御チャネル要素の数を確定するように構成される。
【０２３２】
選択可能に、いくつかの実施例では、前記プロセッサ７１０は具体的に
2020502855.tif 000011
に基づき、前記ターゲットアップリンク制御情報の伝送に必要なアップリンク制御チャネル要素の数を確定するように構成され、ここで、Ｍが前記ターゲットアップリンク制御情報のビット数を表し、Ｎが一つのアップリンク制御チャネル要素が伝送できるアップリンク制御情報の最大ビット数を表し、Ｋが１以上の正整数を表す。
【０２３３】
選択可能に、いくつかの実施例では、前記プロセッサ７１０はさらに指示情報を生成するように構成され、前記指示情報が前記複数のアップリンク制御チャネル要素に占有されたリソースを確定するための情報を含み、送信モジュールは、前記端末装置へ前記指示情報を送信するように構成される。
【０２３４】
選択可能に、いくつかの実施例では、前記指示情報はダウンリンク制御情報（ＤＣＩ）である。
【０２３５】
選択可能に、いくつかの実施例では、前記プロセッサ７１０は具体的に前記複数のアップリンク制御チャネル要素のうちの第一のアップリンク制御チャネル要素に占有されたリソースを確定し、前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される。
【０２３６】
選択可能に、いくつかの実施例では、前記プロセッサ７１０は具体的に前記第一のアップリンク制御チャネル要素に占有されたリソースの番号に基づき、前記他のアップリンク制御チャネル要素に占有されたリソースの番号を確定し、前記他のアップリンク制御チャネル要素に占有されたリソースの番号に基づき、前記他のアップリンク制御チャネル要素に占有されたリソースを確定するように構成される。
【０２３７】
選択可能に、いくつかの実施例では、前記プロセッサ７１０は具体的に前記第一のアップリンク制御チャネル要素に占有されたリソースの番号と予め定義された関数に基づいて前記他のアップリンク制御チャネル要素に占有されたリソースの番号を確定するように構成され、又は、前記第一のアップリンク制御チャネル要素に占有されたリソースの番号と予め設定されたオフセット量に基づいて前記他のアップリンク制御チャネル要素に占有されたリソースの番号を確定するように構成され、又は、前記第一のアップリンク制御チャネル要素に占有されたリソースの番号と他のダウンリンクデータのハイブリッド自動再送リクエスト（ＨＡＲＱ）時間シーケンスに基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報を伝送することに用いられ、前記他のダウンリンクデータが前記複数のダウンリンクデータのうちの前記第一のアップリンク制御チャネル要素に対応するダウンリンクデータ以外のダウンリンクデータであり、又は、前記第一のアップリンク制御チャネル要素に占有されたリソースの番号と他のダウンリンクデータの存在する時間ユニットの番号及び／又は他のダウンリンクデータの存在する搬送波の番号に基づいて前記他のアップリンク制御チャネル要素に占有されえたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータであり、又は、前記第一のアップリンク制御チャネル要素に占有されたリソースの番号と他のダウンリンクデータの番号に基づいて前記他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリン
クデータであり、又は、前記第一のアップリンク制御チャネル要素に占有されたリソースの番号と他のダウンリンクデータに含まれる伝送ブロック（ＴＢ）又は符号化ブロックの番号に基づいて他のアップリンク制御チャネル要素に占有されたリソースの番号を確定するように構成され、ここで前記複数のアップリンク制御チャネル要素がそれぞれ複数のダウンリンクデータのＡＣＫ／ＮＡＣＫ情報の伝送に用いられ、前記他のダウンリンクデータが前記複数のダウンリンクデータのうちの前記第一のアップリンク制御チャネル要素に対応するダウンリンクデータ以外のダウンリンクデータである。
【０２３８】
選択可能に、いくつかの実施例では、前記他のアップリンク制御チャネル要素に占有されたリソースと前記第一のアップリンク制御チャネル要素に占有されたリソースは少なくとも一部で同じである。
【０２３９】
選択可能に、いくつかの実施例では、前記プロセッサ７１０は具体的に前記第一のアップリンク制御チャネル要素に占有されたリソースを構成するように構成され、又は、前記端末装置の無線ネットワーク一時識別子（ＲＮＴＩ）又は前記端末装置のＩＤに基づいて前記第一のアップリンク制御チャネル要素に占有されたリソースを確定するように構成され、又は、前記第一のアップリンク制御チャネルに対応するダウンリンク制御チャネルに占有された物理リソースの番号に基づいて前記第一のアップリンク制御チャネル要素に占有されたリソースを確定するように構成される。
【０２４０】
選択可能に、いくつかの実施例では、一つのアップリンク制御チャネル要素に占有されたリソースは、時間領域リソース、周波数領域リソース及びコード領域リソースのうちの少なくとも一つを含む。
【０２４１】
選択可能に、いくつかの実施例では、前記複数のアップリンク制御チャネル要素は前記ターゲットアップリンク制御情報を繰り返して伝送する。
【０２４２】
選択可能に、いくつかの実施例では、前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送する。
【０２４３】
選択可能に、いくつかの実施例では、前記一つの時間ユニットは一つのタイムスロットである。
【０２４４】
本出願が提供する、いくつかの実施例では、開示されたシステム、装置および方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニットまたは構成要素は組み合わせてもよいまたは別のシステムに統合されてもよく、またはいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２４５】
分離部材として説明された前記ユニットは物理的に分離するものであってもよく又は物理的に分離するものでなくてもよく、ユニットとして表示された部材は物理的要素であってもよく又は物理的ユニットでなくてもよく、すなわち一つの箇所に位置してもよく、又は複数のネットワーク要素に分布してもよい。実際のニーズに応じてそのうちの一部または全てのユニットを選択して本実施例の技術的解決策の目的を達成することができる。
【０２４６】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０２４７】
前記機能はソフトウェア機能ユニットの形態で実現され且つ独立した製品として販売または使用される時に、一つのコンピュータ読み取り可能な記憶媒体に格納されてもよい。このような理解に基づき、本発明の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された方法の全てまたは部分のステップを実行させるためのいくつかの命令を含む、記憶媒体に記憶されてもよい。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２４８】
【図１】
2020502855.tif 000016
【図２ａ】
2020502855.tif 000017
【図２ｂ】
2020502855.tif 000018
【図３】
2020502855.tif 000019
【図４】
2020502855.tif 000020
【図５】
2020502855.tif 000021
【図６】
2020502855.tif 000022
【図７】
2020502855.tif 000023
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
アップリンク制御情報を伝送するための方法であって、
端末装置がターゲットアップリンク制御情報を伝送するための複数のアップリンク制御チャネル要素を確定することであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができることと、
前記端末装置が前記ターゲット時間ユニットで、前記複数のアップリンク制御チャネル要素を介してネットワーク装置へ前記ターゲットアップリンク制御情報を送信することとを含むことを特徴とする、前記方法。
【請求項２】
前記アップリンク制御チャネル要素のそれぞれに占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数であることを特徴とする
請求項１に記載の方法。
【請求項３】
前記方法はさらに、
前記端末装置が前記ネットワーク装置から送信されたシグナリングに応じて前記アップリンク制御チャネル要素に占有された時間領域リソース及び／又は周波数領域リソースの長さを確定することを含むことを特徴とする
請求項１に記載の方法。
【請求項４】
一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ／ＮＡＣＫ情報の最大ビット数に等しいこと、及び
Ｎの値が前記ネットワーク装置によって設定されることであることを特徴とする
請求項１−３のいずれか一項に記載の方法。
【請求項５】
前記端末装置がターゲットアップリンク制御情報を伝送するための複数のアップリンク制御チャネル要素を確定することは、
前記端末装置が複数のダウンリンクデータを受信することであって、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含むことと、
前記端末装置が前記複数のダウリンクデータのそれぞれに対応するアップリンク制御チャネル要素を確定し、前記複数のアップリンク制御チャネル要素を得ることとを含むことを特徴とする
請求項１−４のいずれか一項に記載の方法。
【請求項６】
前記複数のダウンリンクデータのそれぞれが前記複数のアップリンク制御チャネル要素のうちの少なくとも一つに対応し、
ここで、前記複数のアップリンク制御チャネル要素のそれぞれが前記各アップリンク制御チャネル要素に対応するダウンリンクデータのＡＣＫ／ＮＡＣＫ情報を伝送することに用いられることを特徴とする
請求項５に記載の方法。
【請求項７】
前記方法はさらに、
前記端末装置が前記ネットワーク装置から送信された指示情報を受信することであって、前記指示情報が前記複数のアップリンク制御チャネル要素に占有されたリソースを確定するための情報を含むことと、
前記端末装置が前記指示情報に基づき、前記複数のアップリンク制御チャネル要素に占有されたリソースを確定することとを含むことを特徴とする
請求項１−６のいずれか一項に記載の方法。
【請求項８】
前記指示情報はダウンリンク制御情報（ＤＣＩ）であることを特徴とする
請求項７に記載の方法。
【請求項９】
前記方法はさらに、
前記端末装置が前記複数のアップリンク制御チャネル要素のうちの第一のアップリンク制御チャネルに占有されたリソースを確定することと、
前記端末装置が前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定することとを含むことを特徴とする
請求項１−６のいずれか一項に記載の方法。
【請求項１０】
前記他のアップリンク制御チャネル要素に占有されたリソースと前記第一のアップリンク制御チャネル要素に占有されたリソースは少なくとも一部で同じであることを特徴とする
請求項９に記載の方法。
【請求項１１】
一つのアップリンク制御チャネル要素に占有されたリソースは、時間領域リソース、周波数領域リソース及びコード領域リソースのうちの少なくとも一つを含むことを特徴とする
請求項７−１０のいずれか一項に記載の方法。
【請求項１２】
前記複数のアップリンク制御チャネル要素は前記ターゲットアップリンク制御情報を繰り返して伝送することを特徴とする
請求項１−１１のいずれか一項に記載の方法。
【請求項１３】
前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送することを特徴とする
請求項１−１１のいずれか一項に記載の方法。
【請求項１４】
前記一つの時間ユニットは一つのタイムスロットであることを特徴とする
請求項１−１３のいずれか一項に記載の方法。
【請求項１５】
端末装置であって、
ターゲットアップリンク制御情報を伝送するための複数のアップリンク制御チャネル要素を確定するように構成される第一の確定モジュールであって、前記複数のアップリンク制御チャネル要素が時間領域において同一のターゲット時間ユニットに位置し、そして前記複数のアップリンク制御チャネル要素のそれぞれがアップリンク制御情報を個別に伝送することができる第一の確定モジュールと、
前記ターゲット時間ユニットで、前記複数のアップリンク制御チャネル要素を介してネットワーク装置へ前記ターゲットアップリンク制御情報を送信するように構成される送信モジュールとを備えることを特徴とする、前記端末装置。
【請求項１６】
前記アップリンク制御チャネル要素のそれぞれに占有された時間領域リソースの長さがＡ個の直交周波数分割多重（ＯＦＤＭ）シンボルに占有された時間領域リソースの長さに等しく、前記アップリンク制御チャネル要素に占有された周波数領域リソースの長さがＢ個のリソースブロック（ＲＢ）に占有された周波数領域リソースの長さに等しく、ここでＡとＢがいずれも１以上の正整数であることを特徴とする
請求項１５に記載の端末装置。
【請求項１７】
前記端末装置はさらに、
前記アップリンク制御チャネル要素に占有された時間領域リソース及び／又は周波数領域リソースの長さを設定するように構成される第三の確定モジュールを備えることを特徴とする
請求項１５に記載の端末装置。
【請求項１８】
一つのアップリンク制御チャネル要素が伝送できるアップリンク制御情報の最大ビット数はＮであり、ここでＮの値の取り方式について以下の値の取り方式のうちの一つを用いる：
Ｎの値が２であること、
Ｎの値が予め設定された一つの時間ユニットで伝送されるダウンリンクデータに対応するＡＣＫ／ＮＡＣＫ情報の最大ビット数に等しいこと、及び
Ｎの値が前記ネットワーク装置によって設定されることであることを特徴とする
請求項１５−１７のいずれか一項に記載の端末装置。
【請求項１９】
前記第一の確定モジュールは具体的に複数のダウンリンクデータを受信し、前記複数のダウリンクデータのそれぞれが独立したＡＣＫ／ＮＡＣＫ情報に対応し、前記ターゲットアップリンク制御情報が前記複数のダウンリンクデータのＡＣＫ／ＮＡＣＫ情報を含み、前記複数のダウンリンクデータのそれぞれに対応するアップリンク制御チャネル要素を確定し、前記複数のアップリンク制御チャネル要素を得るように構成されることを特徴とする
請求項１５−１８のいずれか一項に記載の端末装置。
【請求項２０】
前記複数のダウンリンクデータのそれぞれが前記複数のアップリンク制御チャネル要素のうちの少なくとも一つに対応し、
ここで、前記複数のアップリンク制御チャネル要素のそれぞれが前記各アップリンク制御チャネル要素に対応するダウンリンクデータのＡＣＫ／ＮＡＣＫ情報を伝送することに用いられることを特徴とする
請求項１９に記載の端末装置。
【請求項２１】
前記端末装置はさらに、
前記ネットワーク装置から送信された指示情報を受信するように構成される第一の受信モジュールであって、前記指示情報が前記複数のアップリンク制御チャネル要素に占有されたリソースを確定するための情報を含む第一の受信モジュールと、
前記指示情報に基づき、前記複数のアップリンク制御チャネル要素に占有されたリソースを確定するように構成される第五の確定モジュールとを備えることを特徴とする
請求項１５−２０のいずれか一項に記載の端末装置。
【請求項２２】
前記指示情報はダウンリンク制御情報（ＤＣＩ）であることを特徴とする
請求項２１に記載の端末装置。
【請求項２３】
前記端末装置はさらに、
前記複数のアップリンク制御チャネル要素のうちの第一のアップリンク制御チャネルに占有されたリソースを確定するように構成される第六の確定ユニットと、
前記第一のアップリンク制御チャネル要素に占有されたリソースに基づき、前記複数のアップリンク制御チャネル要素のうちの前記第一のアップリンク制御チャネル要素以外のアップリンク制御チャネル要素に占有されたリソースを確定するように構成される第七の確定モジュールとを備えることを特徴とする
請求項１５−２０のいずれか一項に記載の端末装置。
【請求項２４】
前記他のアップリンク制御チャネル要素に占有されたリソースと前記第一のアップリンク制御チャネル要素に占有されたリソースは少なくとも一部で同じであることを特徴とする
請求項２３に記載の端末装置。
【請求項２５】
一つのアップリンク制御チャネル要素に占有されたリソースは、時間領域リソース、周波数領域リソース及びコード領域リソースのうちの少なくとも一つを含むことを特徴とする
請求項２１−２４のいずれか一項に記載の端末装置。
【請求項２６】
前記複数のアップリンク制御チャネル要素は前記ターゲットアップリンク制御情報を繰り返して伝送することを特徴とする
請求項１５−２５のいずれか一項に記載の端末装置。
【請求項２７】
前記複数のアップリンク制御チャネル要素は前記ターゲットアップリンク制御情報を共同で伝送し、そして前記複数のアップリンク制御チャネル要素のうちの異なるアップリンク制御チャネル要素は前記ターゲットアップリンク制御情報のうちの異なる情報を伝送することを特徴とする
請求項１５−２５のいずれか一項に記載の端末装置。
【請求項２８】
前記一つの時間ユニットは一つのタイムスロットであることを特徴とする
請求項１５−２７のいずれか一項に記載の端末装置。
【国際調査報告】
2020502855.tif 000024
2020502855.tif 000025
2020502855.tif 000026
2020502855.tif 000027